【事件の表示】
　特許第３０８８６３７号「弾球遊技機の通路装置」の請求項１ないし請求項３に係る特許に対する特許異議の申立てについて、次のとおり決定する。
【結　論】
　訂正を認める。
　特許第３０８８６３７号の請求項１ないし請求項３に係る特許を維持する。
【理　由】
１．手続の経緯　　　　　　　　　　　　　　　　　　　　　　　　　　
　本件特許第３０８８６３７号の請求項１ないし３に係る発明は、平成７年６月３０日に特許出願され、平成１２年７月１４日にその特許権の設定登録がなされ、その後、町田彬より特許異議の申立てがなされ、取消理由通知がなされ、その指定期間内である平成１４年５月２０日に訂正請求がなされたものである。　　　　　　　　
　　　　　　　　　　　　　　　　　　　　　　　　　　　　　　　　　
２．訂正の適否についての判断　　　　　　　　　　　　　　　　　　　
（１）訂正の内容
訂正事項a
特許明細書の特許請求の範囲の請求項１の記載を以下のとおり訂正
【請求項１】　前枠（４）に装着された遊技盤（１０）を前枠（４）側に押さえて固定する裏機構板（３３）に、遊技盤（１０）の後側の裏カバー（３２）が嵌合する開□窓（３５）を形成し、この開口窓（３５）の一側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）と通路カバー（９４）とをシールド板（１４５）を介在した状態で後側からネジ（１４２）により裏機構板（３３）に着脱自在に固定し、取り付けベース（８２）の後側に、電子部品を装着した基板（４９）（５２）をケース（５０）（５３）内に収納してなる制御ユニット（４８）（５１）を着脱自在に装着したことを特徴とする弾球遊技機の通路装置。
　　　　　　　　　　　　　　　　　　　　　　　　　　　　　　　　　
訂正事項b
特許明細書の特許請求の範囲の請求項２の記載を以下のとおり訂正
【請求項２】　前枠（４）に装着された遊技盤（１０）を前枠（４）側に押さえて固定する裏機構板（３３）に、遊技盤（１０）の後側の裏カバー（３２）が嵌合する開□窓（３５）を形成し、この開□窓（３５）の−側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）の後側に、電子部品を装着した基板（４９）（５２）をケース（５０）（５３）内に収納してなる制御ユニット（４８）（５１）を着脱自在に装着し、通路カバー（９４）に、後側に凹部（１３５ａ）（１３６ａ）を形成すべく前側に突出し且つ遊技球回収通路（４２）及び抜き取り案内通路（４３）内に嵌合する嵌合突部（１３５）（１３６）を、該遊技球回収通路（４２）及び抜き取り案内通路（４３）に沿って形成したことを特徴とする弾球遊技機の通路装置。
　　　　　　　　　　　　　　　　　　　　　　　　　　　　　　　　　
訂正事項c
特許明細書の特許請求の範囲の請求項３の記載を以下のとおり訂正
【請求項３】　嵌合突部（１３５）（１３６）の前面に、この嵌合突部（１３５）（１３６）から前側に突出し且つ各通路（４２）（４３）内を移動す遊技球を通路方向に案内する複数本の案内突条（１３７）（１３８）を一体に形成したことを特徴とする請求項２に記載の弾球遊技機の通路装置。
　　　　　　　　　　　　　　　　　　　　　　　　　　　　　　　　　
訂正事項d
特許明細書の段落【００１２】の記載を以下のとおり訂正
【００１２】
【課題を解決するための手段】
　請求項１に記載の本発明は、前枠４ に装着された遊技盤１０を前枠４側に押さえて固定する裏機構板３３に、遊技盤１０の後側の裏カバー３２が嵌合する開ロ窓３５を形成し、この開口窓３５の一側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる益流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５ を介在して取り付けベース８２を設け、この取り付けベース８２と通路カバー９４とをシールド板１４５ を介在した状態で後側からネジ１４２ により裏機構板３３に着脱自在に固定し、取り付けベース８２の後側に、電子部品を装着した基板４９，５２ をケース５０，５３ 内に収納してなる制御ユニット４８，５１を着脱自在に装着したものである。
　　　　　　　　　　　　　　　　　　　　　　　　　　　　　　　　　
訂正事項e
特許明細書の段落【００１３】の記載を以下のとおり訂正
【００１３】
　請求項２に記載の本発明は、前枠４ に装着された遊技盤１０を前枠４側に押さえて固定する裏機構板３３に、遊技盤１０の後側の裏カバー３２が嵌合する開口窓３５を形成し、この開ロ窓３５の−側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる溢流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５を介在して取り付けベース８２を設け、この取り付けベース８２の後側に、電子部品を装着した基板４９，５２ をケース５０，５３ 内に収納してなる制御ユニット４８，５１を着脱自在に装着し、通路カバー９４に、後側に凹部１３５ａ，１３６ａ を形成すべく前側に突出し且つ遊技球回収通路４２及び抜き取り案内通路４３内に嵌合する嵌合突部１３５，１３６ を、該遊技球回収通路４２及び抜き取り案内通路４３に沿って形成したものである。
　　　　　　　　　　　　　　　　　　　　　　　　　　　　　　　　　
訂正事項f
特許明細書の段落【００１４】の記載を以下のとおり訂正
【００１４】
　請求項３に記載の本発明は、請求項２に記載の発明において、嵌合突部１３５，１３６ の前面に、この嵌合突部１３５，１３６ から前側に突出し且つ各通路４２，４３ 内を移動す遊技球を通路方向に案内する複数本の案内突条１３７，１３８ を一体に形成したものである。
　　　　　　　　　　　　　　　　　　　　　　　　　　　　　　　　　
訂正事項g
特許明細書の段落【０１１４】の記載を以下のとおり訂正
【０１１４】
　しかも板状の通路カバー９４の後側にシールド板（１４５）を介在して取り付けベース（８２）を設け、この取り付けベース８２と通路カバー９４とをシールド板１４５ を介在した状態で後側からネジ１４２ により裏機構板３３に着脱自在に固定し、取り付けベース８２の後側に、電子部品を装着した基板４９，５２ をケース５０，５３ 内に収納してなる制御ユニット４８，５１を着脱自在に装着しているので、裏カバー３２の下側近傍で配線等に効率的な位置に配置できると共に、制御ユニット４８，５１が通路カバー９４の後側にあるため、通路、特に抜き取り案内通路４３を他の通路と前後に重ねる必要がなく、抜き取り案内通路４３の通路断面積を大きく確保できる。更に、取り付けベース（８２）と通路カバー９４との間にシールド板１４５を介在しているので、各通路４０，４１，４２，４３，４５内を通過する遊技球による制御ユニット４８，５１への影響を防止できる。
　　　　　　　　　　　　　　　　　　　　　　　　　　　　　　　　　
訂正事項h
特許明細書の段落【０１１５】の記載を以下のとおり訂正
【０１１５】
  請求項２に記載の本発明によれば、通路カバー９４に、後側に凹部１３５a，１３６a を形成すべく前側に突出し且つ遊技球回収通路４２及び抜き取り案内通路４３内に嵌合する嵌合突部１３５，１３６ を、該遊技球回収通路４２及び抜き取り案内通路４３に沿って形成しているので、各通路４２，４３内を流れる遊技球の静電気による制御ユニット４８，５１への影響を極力少なくできると共に、この嵌合突部１３５，１３６によって通路カバー９４を軽量化しつつ補強できる。
　　　　　　　　　　　　　　　　　　　　　　　　　　　　　　　　　
訂正事項i
特許明細書の段落【０１１６】の記載を以下のとおり訂正
【０１１６】
  請求項３に記載の本発明によれば、請求項２に記載の発明において、嵌合突部１３５，１３６の前面に、この嵌合突部１３５，１３６から前側に突出し且つ各通路４２，４３内を移動す遊技球を通路方向に案内する複数本の案内突条１３７，１３８を一体に形成しているので、通路４２，４３内の遊技球と制御ユニット４８，５１との間隔を更に大にできると共に、通路カバー９４の強度を確保できる。 　　　　　　　　　　　　　　　　　　　　　　　　　　　　　　　　　　　　　　　　　　　　　　　　　　　　　　
（２）訂正の目的の適否、新規事項の有無及び拡張・変更の存否　 　　　
　上記訂正事項a及び訂正事項cは特許請求の範囲の減縮を目的とした明細書の訂正に該当し、上記訂正事項bは旧請求項２の記載を従属形式から独立形式に変更するための、明りょうでない記載の釈明を目的とした明細書の訂正に該当しており、訂正事項dないし訂正事項iは訂正後の特許請求の範囲の記載と発明の詳細な説明の記載との整合をるための明りょうでない記載の釈明を目的とした明細書の訂正に該当しており、いずれも新規事項の追加に該当せず、実質上特許請求の範囲を拡張し、変更するものではない。
　　　　　　　　　　　　　　　　　　　　　　　　　　　　　　　　　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　　　　　　　　　　　　　　　　　　　　　　　　　　　　　
３．特許異議申立てについての判断　　　　　　　　　　　　　　　　　
（１）申立ての理由の概要 　　　　　　　　　　　　　　　　　　　　　
　特許異議申立人町田彬は、本件の請求項１ないし請求項３に係る発明の特許に対して、証拠として下記の甲第１号証ないし甲第１２号証を提示し、本件の請求項１及び請求項２に係る発明は、甲第１号証に記載された発明に甲第２号証ないし甲第１１号証に記載された周知技術を組み合わせることにより当業者が容易に成し得た発明であり、また本件の請求項３に係る発明は、甲第１号証に記載された発明に甲第２号証ないし甲第１２号証に記載された周知技術を組み合わせることにより当業者が容易に成し得た発明であるから、本件の請求項１ないし請求項３に係る発明の特許は特許法第２９条第２項の規定に違反してなされたものであり、取り消されるべきである旨を主張している。　　　　　　　　　　　　　　　　　　　　　　　　　　　　　
　　　　　　　　　　　　　　　　 記　　　　　　　　　　　　　　　　
甲第　１号証：特開平５−３０５１７７号公報
甲第　２号証：実願平３−１０２０３０号（実開平５−４１５８３号）の願　　　　　　　書に添付した明細書及び図面の内容を撮影したＣＤ−ＲＯＭ
甲第　３号証：特開平５−２３７２４４号公報　　　　　　　　
甲第　４号証：特開平５−３０９１６０号公報　　　　　　　　
甲第　５号証：特開平７−９６０７８号公報　　　　　　　　
甲第　６号証：特開平４−２１５７８１号公報　　　　　　　
甲第　７号証：特開平４−３２５１７４号公報　　　　　　　　
甲第　８号証：特開平７−１０８０８５号公報　　　　　　　
甲第　９号証：特開平２−１０７２８４号公報　　　　　　　　　
甲第１０号証：特開平５−２４５２５９号公報　　　　　　　　
甲第１１号証：特開平６−９１０４６号公報　　　　　　　　　
甲第１２号証：特開平３−１９５５８６号公報　　　　　　　　　　　　　　　　　　　　　　　　　　　　　　　　　　　　　　　　　　　　　　
（２）本件の請求項１ないし請求項３に係る発明 　　　　　　　　　　　
　上記２．で示したように上記訂正が認められるから、　　　　　　　　
本件の請求項１ないし請求項３に係る発明（以下、それぞれ「本件発明１」、「本件発明２」、「本件発明３」という）は、上記訂正に係る訂正明細書の特許請求の範囲の請求項１ないし請求項３に記載されたとおりのものである。（上記２．（１）訂正事項aないし訂正事項c参照）　　　　　　　
　　　　　　　　　　　　　　　　　　　　　　　　　　　　　　　　　
（３）甲号各証に記載の発明　　　　　　　　　　　　　　　　　　　　
　特許異議申立人が提示した甲号各証には、以下の発明が記載されている。
甲第１号証：特開平５−３０５１７７号公報
甲第１号証には下記の記載がある。
A．「パチンコ遊技機１の額縁状に形成された前面枠２の開口には、扉保持枠３が周設され、該扉保持枠３には、・・・ガラス扉枠４・・・が・・・取り付けられている。ガラス扉枠４の後方には、遊技盤１１が着脱自在に設けられている。」（第２頁第２欄第１１−１６行）　　　　　　　　　　　
B．「上記した遊技動作は、パチンコ遊技機１の裏面に取り付けられる基板ボックス７０に収納されるプリント配線基板８７上に形成される制御回路によって動作されるものであるが、本実施例においては、この制御回路が外部からのノイズによって誤動作しないために、パチンコ遊技機１の背面に設けられる機構板３０や基板ボックス７０を特殊な合成樹脂によって構成している。」（第３頁第４欄第２−８行）
C．「パチンコ遊技機１の背面には、主としてパチンコ遊技機１の遊技盤１１に設けられた入賞口や入賞球装置からの入賞玉を処理して、その入賞玉に対応する所定個数の景品玉を排出するための各種の機構が設けられる機構板３０が設けられている。しかして、機構板３０は、合成樹脂で成型されたほぼ方形板状の機構板本体に各種の機構を組み付けて構成される。そして、機構板３０のほぼ中央には、窓開口３１が開設され、・・・」（第３頁第４欄第１３−２１行）
D．「機構板３０の後面側には、・・・景品玉を遊技者に払い出すための各種の機構が設けられている。これらの機構について、以下説明すると、機構板３０の上部には、景品玉タンク３３が固定されている。・・・景品玉タンク３３の下方には、・・・景品玉誘導樋３４が設けられている。・・・景品玉誘導樋３４の下流側には、・・・屈曲樋３５が接続されるように取り付けられている。・・・屈曲樋３５の屈曲部には、玉抜き装置３６が設けられ、閉店後に操作することにより、景品玉タンク３３及び景品玉誘導樋３４に貯留されていた景品玉を玉抜き通路３７に排出してパチンコ遊技機１外へ誘導するようになっている。・・・屈曲樋３５の下流側には、景品玉払出装置３８が接続されている。・・・景品玉払出装置３８から払出された景品玉は、景品玉排出通路３９に排出される。この景品玉排出通路３９の下端には、上皿連通口４０が開設され、この上皿連通口４０がパチンコ遊技機１の前面に設けられる前記打球供給皿６に連通している。また、上皿連通口４０と対面する位置には、余剰玉溢れ口４１が形成され、該余剰玉溢れ口４１に余剰玉排出通路４３と連絡するための連絡樋４２が臨み、打球供給皿６に景品玉が満杯となって余剰玉溢れ口４１から溢れた余剰の景品玉が連絡樋４２を流下して機構板３０の下部中央に形成された余剰玉排出通路４３に導かれるようになっている。この余剰玉排出通路４３は、パチンコ遊技機１の前面枠下部裏面に止着される接続樋４５を介して余剰の景品玉をパチンコ遊技機１の前面に設けられる前記余剰玉受皿９に誘導するようになっている。」（第３頁第４欄第３４行−第４頁第５欄第２６行）
E．「機構板３０の景品玉が流下する通路に対応する前記景品玉排出通路３９、連絡樋４２、余剰玉排出通路４３、及び玉抜き通路３７の下半分の後面を鈴樋カバー５０・・・が覆っている。・・・景品玉排出通路３９、余剰玉排出通路４３及び玉抜き通路３７の内部又は側方に止め穴４９が設けられ、該止め穴４９に鈴樋カバー５０に形成されたビス穴５１を一致させて・・・ビスで止着することにより、鈴樋カバー５０を機構板３０に取り付けている。」（第４頁第５欄第３８行−第６欄第５行）　　　　
F．「静電気の直接的な影響を受ける基板ボックス７０に除電樹脂１２０を使用しても良い。基板ボックス７０は・・・機構板３０の裏面に止着される基板ボックス取付ベース７１に着脱自在に取り付けられ、上面が開放した箱状のボックス本体７５と、該ボックス本体７５内に収納されるプリント配線基板８７と、ボックス本体７５の上面を閉塞する上カバー９０とから構成されている。このうち、・・・基板ボックス取付ベース７１とボックス本体７５が除電樹脂１２０によって形成されている。・・・基板ボックス取付ベース７１は、その下部を前記鈴樋カバー５０の基板ボックスベース取付用穴５５に止着され、その中央に１対の係合Ｌ形レール７２が突設されている。この係合Ｌ形レール７２には、ボックス本体７５を基板ボックス取付ベース７１の側方からスライド挿入させたときに、ボックス本体７５の底面に形成された後述する係合レール７７が係合するものである。」（第４頁第６欄第５０行−第５頁第７欄第２１行）
甲第１号証の上記記載（AないしF）より、甲第１号証には以下の発明（以下、「引用発明１」という）が記載されている。
「前面枠２の開口に設けた遊技盤１１の後側に、ほぼ中央に窓開口３１を有する機構板３０を設け、機構板３０の上部に固定された景品玉タンク３３の下方には、景品玉誘導樋３４、その下流側には屈曲樋３５が取り付けられており、屈曲樋３５の屈曲部には、玉抜き装置３６が設けられ、景品玉タンク３３及び景品玉誘導樋３４に貯留されていた景品玉を玉抜き通路３７に排出してパチンコ遊技機１外へ誘導するようになっている。また上記屈曲樋３５の下流側には、景品玉払出装置３８が接続されており、景品玉払出装置３８から払出された景品玉は、景品玉排出通路３９に排出され、この景品玉排出通路３９の下端には、パチンコ遊技機１の前面に設けられる打球供給皿６に連通する上皿連通口４０が開設され、この上皿連通口４０と対面する位置には、余剰玉溢れ口４１が形成され、該余剰玉溢れ口４１に余剰玉排出通路４３と連絡するための連絡樋４２が臨み、打球供給皿６に景品玉が満杯となって余剰玉溢れ口４１から溢れた余剰の景品玉が連絡樋４２を流下して機構板３０の下部中央に形成された余剰玉排出通路４３に導かれるようになっており、この余剰玉排出通路４３は、パチンコ遊技機１の前面枠下部裏面に止着される接続樋４５を介して余剰の景品玉をパチンコ遊技機１の前面に設けられる余剰玉受皿９に誘導するようになっている。そして、機構板３０の景品玉が流下する通路に対応する前記景品玉排出通路３９、連絡樋４２、余剰玉排出通路４３、及び玉抜き通路３７の下半分の後面を鈴樋カバー５０が覆っており、景品玉排出通路３９、余剰玉排出通路４３及び玉抜き通路３７の内部又は側方に止め穴４９が設けられ、該止め穴４９に鈴樋カバー５０に形成されたビス穴５１を一致させてビスで止着することにより、鈴樋カバー５０を機構板３０に取り付けている。機構板３０の裏面に止着される基板ボックス取付ベース７１は、その下部を前記鈴樋カバー５０の基板ボックスベース取付用穴５５に止着され、プリント配線基板８７を収納した基板ボックス７０が着脱自在に取り付けられる。静電気の直接的な影響を受ける基板ボックス取付ベース７１とボックス本体７５は除電樹脂１２０によって形成されている。」
甲第２号証：実願平３−１０２０３０号（実開平５−４１５８３号）の願書　　　　　　に添付した明細書及び図面の内容を撮影したＣＤ−ＲＯＭ　
甲第２号証には下記（G）に記載される発明（以下、「引用発明２」という）が記載されている。
G．「機構セット盤２１は、その本体２２の各部に球経路、部材、機構そして電気的部材等が組込まれてユニット化されたもので、・・・窓口２３が開設されており、この窓口２３の下部内側にアウト球用の通出路１４に連通する排出路２４と、セーフ球用の排出路２５が互いに区画して形成されると共に、本体２２の外側下部に球抜き路２６が形成されて、この三者２４，２５，２６の下流端が、・・・一つの集合排出路２７に連通されている。・・・そしてこのセット盤２１におけるその他の構成として、・・・本体２２の上段から下方に亘り、賞球用の貯留タンク２８、整列樋２９、送出樋３０および賞球排出装置３１が順に設置されている。またこの装置３１の下方に前記上球皿８側の出口１２に連通する第１賞球排出路３２と、この排出路３２から分岐連設されて前記下球皿１０側の出口１３に連通する第２賞球排出路３３が画成されている。・・・集合排出路２７および球抜き路２６、そして第１、第２の賞球排出路３１,３２は、１枚のカバー３４で覆蓋されている。」（第９頁第１−１９行）
甲第３号証：特開平５−２３７２４４号公報
甲第３号証には下記（H）に記載される発明（以下、「引用発明３」という）が記載されている。
H．「球排出装置２００の下方には、排出された球を遊技機前面の前記供給皿１２の流出口１２ａへ誘導する内部通路を有する排出樋８１３と、供給皿１２からオーバーフローした球を下方の受皿１７へ誘導するオーバーフロー樋８１４が連続して設けられている。・・・また、前記球排出樋８１３の途中から分岐した内部通路を有する球抜き樋８１５が前記オーバーフロー樋８１４と並行して配設され・・・ている。８２５はパチンコ遊技機１０前面の遊技領域１９に設けられた入賞部・・・に入賞してパチンコ遊技機１０の裏側に至った入賞球を一箇所に集合させる集合樋・・・であり」（第３頁第４欄第１３−３３行）
甲第４号証：特開平５−３０９１６０号公報
甲第４号証には下記（I）に記載される発明（以下、「引用発明４」という）が記載されている。　　　　　　　　　　　　　　
I．「パチンコ機１の裏面には、遊技盤２の裏面全体を覆うように合成樹脂製の機構板３が開閉自在に装着されており、その遊技盤２の裏面と相対する機構板３の前面下部に入賞球を集合する入賞球集合通路４が形成されている。・・・ また、機構板３には・・・パチンコ球を貯留する球タンク７と、該球タンク７内のパチンコ球を整列して流下させる誘導樋８と、所定数のパチンコ球を景品球として払出す電気的パチンコ球払出装置９とが設けられている。また、機構板３の中央部分には・・・制御回路基板を収納した基板ボックス１０が設けられる」（第２頁第１欄第４７行−第２欄第１２行及び図１）
甲第５号証：特開平７−９６０７８号公報
甲第５号証には下記（J）に記載される発明（以下、「引用発明５」という）が記載されている。
J．「下部ベースユニット６３の前面側（遊技盤５に当接する側）には・・・入賞玉集合樋１０３が傾斜状に設けられている。この入賞玉集合樋１０３は・・・入賞玉を・・・入賞玉処理装置１１５に誘導するものであり、その下流側が・・・入賞玉誘導通路１０５となっている。・・・また、入賞玉集合樋１０３の下方には・・・アウト玉を導くアウト玉誘導通路１０６も形成されている。アウト玉誘導通路１０６の末端は、後述する玉抜き下部通路１０７に合流するようになっている。・・・　一方、下部ベースユニット６３の後面側には、その一側上部に景品玉払出通路１０８が形成され、該景品玉払出通路１０８の下端に上皿連通口１１０が形成されている。・・・また、景品玉払出通路１０８の側方には、前記玉抜き中間通路８３と連通する玉抜き下部通路１０７が形成される。この玉抜き下部通路１０７は・・・その途中において、前記景品玉払出通路１０８と後述する入賞玉出口１２１と連通し、最終的に前記アウト玉誘導通路１０６と合流するようになっている。・・・上記した景品玉払出通路１０８と玉抜き下部通路１０７との間には、切換レバー１０９が配置されている。切換レバー１０９は、その下端部を支軸で軸支されることにより回動自在にとなっており、・・・右側に傾動されているときには、景品玉払出装置９７から排出された景品玉を上皿連通口１１０に導き、・・・左側に傾動されているときには、景品玉払出装置９７から排出された景品玉を玉抜き下部通路１０７に導いてパチンコ遊技機１の外部に排出するようになっている。・・・上記した景品玉払出通路１０８、玉抜き下部通路１０７、連絡通路１１１、及び余剰玉通路１１２の後面は、・・・ビスによって止着される通路カバー体１３２によって覆われるが、・・・入賞玉処理装置１１５部分に対応する位置には、取付開口１３３が形成され、該取付開口１３３を支軸１３５を中心にして開閉する開閉蓋１３４で開閉自在に覆われる。この開閉蓋１３４は、凹状に形成され、その凹状部に前記カードユニット５０とパチンコ遊技機１側の部品とを電気的に接続するインターフエース基板１３８が収納されるようになっている。更に、下部ベースユニット６３の下部一側には、入賞玉処理装置１１５及び前記景品玉払出装置９７の動作を制御する景品玉払出制御基板１５２を収納する基板ボックス１４９を収納する収納部１４８が形成されている。」（第７頁第１１欄第４８行−第１３欄第２１行）
甲第６号証：特開平４−２１５７８１号公報
甲第６号証には下記の記載がある。
K．「遊技盤１の背面には、遊技盤１の主要部域を覆う入賞玉集合カバー２が集合カバー固定部材４によって着脱自在に取り付けられている。また入賞玉集合カバー２のほぼ中央には、遊技盤１の中央に設けられるセンター入賞装置・・・の後方を覆う入賞装置カバー３が取着されると共に、該入賞装置カバー３の側方に本実施例の要部を構成する収納ケース２０が配置されている。・・・また、遊技盤１の上部中央には、・・・電気部品の配線を一旦接続する中継端子板５が固着されている。そして、中継端子板５からは、収納ケース２０に収納される後述する制御回路基板２２に配線が接続され、これによって前記電気部品と制御回路基板２２とを電気的に接続してそれらを制御するようになっている。・・・入賞玉集合カバー２には・・・ほぼ正方形状の窓開口６が開設され・・・前記窓開口６の一側部に補強リブが立設され、該補強リブに基板ケース取付ボス９が形成されている。この基板ケース取付ボス９は、収納ケース２０を開閉自在に支持する支持部材１０を止着するものである。即ち、収納ケース２０は、その一側側片に固着される固定部材１１の上下に形成される支軸１２を支持部材１０の軸受部に挿入することにより、回転自在に支持されるようになっている。そして、収納ケース２０の上下に形成される後述する固定片３１と支持部材１０の上下に形成される係止部材１４とを係止させることにより、収納ケース２０を入賞玉集合カバー２に支持するようになっている。」（第３頁第３欄第１１−４８行）
L．「底板部２５の開口２４の外側には、導電性板部材３５がビスによって着脱自在に取り付けられている。・・・このように開口２４の外側を導電性板部材３５で覆うようにした理由は、以下のとおりである。即ち、収納ケース２０の底板部２５は、前記したように入賞玉集合カバー２に対面する位置であり、このため、入賞玉集合カバー２の内側を流下する入賞玉等の滞電物質の影響により静電気が入賞玉集合カバー２に滞電し、その滞電した静電気が放電するときに発生するノイズによって制御回路基板２２の制御回路が誤動作を起こす虞がある。・・・これを防止するために、導電性板部材３５で開口２４を閉塞することにより収納ケース２０のシールド効果を向上させるようにしている・・・導電性板部材３５として、・・・例えば、導電シートを底板部２５・・・に貼付又は取り付けたものでも良い」（第４頁第６欄第４−２８行）
甲第６号証の上記記載（K及びL）より、甲第６号証には以下の発明（以下、「引用発明６」という）が記載されている。
「遊技盤１の背面に取り付けられる入賞玉集合カバー２にはほぼ正方形状の窓開口６が開設され、該窓開口６の一側部に補強リブが立設されて、該補強リブに基板ケース取付ボス９が形成されている。この基板ケース取付ボス９は、制御回路基板２２を収納する収納ケース２０を開閉自在に支持する支持部材１０を止着するものである。即ち、収納ケース２０は、その一側側片に固着される固定部材１１の上下に形成される支軸１２を支持部材１０の軸受部に挿入することにより、回転自在に支持されるようになっている。そして、収納ケース２０の上下に形成される固定片３１と支持部材１０の上下に形成される係止部材１４とを係止させることにより、収納ケース２０を入賞玉集合カバー２に支持するようになっている。収納ケース２０の底板部２５は、入賞玉集合カバー２に対面する位置であり、このため、入賞玉集合カバー２の内側を流下する入賞玉等の滞電物質の影響により静電気が入賞玉集合カバー２に滞電し、その滞電した静電気が放電するときに発生するノイズによって制御回路基板２２の制御回路が誤動作を起こす虞がある。これを防止するために、底板部２５の開口２４の外側には、導電性板部材３５がビスによって着脱自在に取り付けられていて、導電性板部材３５で開口２４を閉塞することにより収納ケース２０のシールド効果を向上させるようにしている。導電性板部材３５として、例えば、導電シートを底板部２５に貼付又は取り付けたものでも良い。」
甲第７号証：特開平４−３２５１７４号公報
甲第７号証には下記の記載がある。
M．「遊技盤１２の裏面側には、可変表示装置１５や変動入賞装置１６等、主に遊技盤１２側の制御を行う遊技制御回路を形成した遊技制御回路基板３０（以下、回路基板３０という）を収設した遊技制御回路ボックス３１を着脱可能に装着する。・・・そして、本発明では上記したように回路ボックス３１を遊技盤１２に対して取付部材４１を介して着脱自在に止着するが、この実施例では、・・・遊技盤１２に固定した基枠部材４２及び該基枠部材４２に着脱可能に設けた中継部材４３により取付部材４１を構成し、この取付部材４１を介して着脱自在となっている。・・・上記回路ボックス３１は、・・・深皿状の上ケース４４と浅皿状の下ケース４５とからなり、・・・この回路ボックス３１に電磁シールド効果を付与するためシールド手段として上ケース４４の内側に導電性部材例えば金属板からなるシールド部材４６を添設する。」（第２頁第２欄末行−第３頁第３欄４０行）
N．「下ケース４５の平板状本体部５３の外面側（回路ボックス３１の外側になる面）には、回路基板３０の裏面側のシールドを行う平板状のシールド板５９を着脱自在に設ける。即ち、下ケース４５の外面側の周縁に、シールド板５９の肉厚にほゞ等しい比較的高さの低い縁片６０を設ける。この縁片６０の適宜位置、例えばコネクタ挿通部５４を設けない長辺に沿って形成した縁片６０の一部に、シールド板５９が係止可能な係止片６１を設けると共に、コネクタ挿通部５４側の隅部に係止部材６２を設けて、上記係止片６１と係止部材６２とでシールド板５９を止着するのである。上記係止部材６２は、指掛け部６２ａと押圧部６２ｂとを有する断面ほゞＬ字状の部材であって、下ケース４５と上ケース４４とを止着するために取付孔に通したビス６３をワッシャ６２′を介して補助金具５２′のネジ孔に螺着して、下ケース４５に対して回動可能に取り付けてある。尚、図示していないが、係止部材６２の押圧部６２ｂには係止突起を設け、この係止突起に対応する係止凹部或は係止孔をシールド板５９に設け、係止部材６２がシールド板６２の縁に直交して押え込む位置に節度を持って停止するようになっている。・・・上記のような下ケース４５にシールド板５９を止着するには、当該シールド板５９の一側を係止片６１の下に挿入して係止させると共に、係止部材６２を回動させて押圧部６２ｂでシールド板５９を押圧するのである。即ち、額縁の裏蓋を止めるようにしてシールド板５９を止着するのである。」（第３頁第４欄３７行−第４頁第５欄１３行）
甲第７号証の上記記載（M及びN）より、甲第７号証には以下の発明（以下、「引用発明７」という）が記載されている。
「遊技盤１２の裏面側には、遊技制御回路を形成した遊技制御回路基板３０（以下、回路基板３０という）を収設した遊技制御回路ボックス３１を着脱可能に装着する。上記回路ボックス３１は、深皿状の上ケース４４と浅皿状の下ケース４５とからなり、この回路ボックス３１に電磁シールド効果を付与するためシールド手段として上ケース４４の内側に導電性部材例えば金属板からなるシールド部材４６を添設すると共に、下ケース４５の平板状本体部５３の外面側（回路ボックス３１の外側になる面）には、回路基板３０の裏面側のシールドを行う平板状のシールド板５９を着脱自在に設ける。即ち、下ケース４５の外面側の周縁に、シールド板５９の肉厚にほゞ等しい比較的高さの低い縁片６０を設け、この縁片６０の一部に、シールド板５９が係止可能な係止片６１を設けると共に、コネクタ挿通部５４側の隅部に係止部材６２を設けて、上記係止片６１と係止部材６２とでシールド板５９を止着する。上記係止部材６２は、指掛け部６２ａと押圧部６２ｂとを有する断面ほゞＬ字状の部材であって、下ケース４５と上ケース４４とを止着するために取付孔に通したビス６３をワッシャ６２′を介して補助金具５２′のネジ孔に螺着して、下ケース４５に対して回動可能に取り付けてある。上記のような下ケース４５にシールド板５９を止着するには、当該シールド板５９の一側を係止片６１の下に挿入して係止させると共に、係止部材６２を回動させて押圧部６２ｂでシールド板５９を押圧するのである。即ち、額縁の裏蓋を止めるようにしてシールド板５９を止着するのである。」
甲第８号証：特開平７−１０８０８５号公報　
甲第８号証には下記（O）に記載される発明（以下、「引用発明８」という）が記載されている。
O．「裏機構セット盤１２の窓１３に対して・・・覆蓋保護部材２６が着脱および開閉可能にセットされている。この覆蓋保護部材（・・・）２６は、前記遊技盤１５における遊技部品の覆蓋保護並びに後述する制御装置Ｃの設置保護を図るためのもので、・・・右半部側に遊技盤１５裏面に対して大きな離隔空間の保護室Ｒ１を画成した箱部２７が成形され・・・また左半部側に遊技盤１５裏面に対して小さな離隔空間の保護室Ｒ２を画成した蓋部２８が成形され・・・両部２７,２８の高低差による凹部空間が制御装置Ｃの設置収容凹部２９とされている。・・・蓋部２８の背面板部には、制御装置Ｃのための設置部３１が成形されている。この設置部３１では、・・・縦長方形の保護枠３２が後向きに成形され、この保護枠３２の上、下辺部に係止手段として例えば弾性変形可能な係止フック３３が成形されている一方、保護枠３２内に座兼用のボス部３４およびピン座３５が突設配置されている。また、保護枠３２の内側に小型の制御装置または中継基盤用の設置枠３６が成形されると共に、ボス部３７やピン座３８が突設されている。・・・制御装置Ｃは・・・設置部３１の保護枠３２内に定置セットし得る合成樹脂製で方形皿状の収容ケース体５１と、この収容ケース体５１内に敷設状にセットされる静電気防止用の防護板５２と、この防護板５２内に収容保護される回路基盤５３と、収容ケース体５１に組付けられて回路基盤５３を透視可能に覆蓋保護するカバー体５４とからなり、これらが互いに整一されたビス止め部にビス等を利用して組付けられて、全体が１つの箱型ユニットに構成されて取扱い得るようになっている。」（第３頁第４欄３１行−第４頁第５欄４４行）
甲第９号証：特開平２−１０７２８４号公報
甲第９号証には下記の記載がある。
P．「景品玉放出通路１３０、連絡樋１４０、及び余剰玉通路１４１の後面を覆うようにカバー体１５０が取り付けられている。このカバー体１５０は、上記各通路の後面壁を構成するものである。」（第１０頁右下欄第２−６行）　
Q．「カバー体１５０には、前記入賞玉処理機構１００に対応する位置に開口１５９が開設され」（第１１頁左上欄第１４−１５行）
甲第９号証の上記記載（P及びQ）より、甲第９号証には以下の発明（以下、「引用発明９」という）が記載されている。
「景品玉放出通路１３０、連絡樋１４０、及び余剰玉通路１４１の後面を覆うようにカバー体１５０が取り付けられており、このカバー体１５０は、上記各通路の後面壁を構成していて、入賞玉処理機構１００に対応する位置に開口１５９が開設されている。」
また、甲第９号証の第３図によれば、「カバー体１５０」の「開口１５９」は、前側に突出する立上り部を有しているといえる。
甲第１０号証：特開平５−２４５２５９号公報
甲第１０号証には下記（R）に記載される発明（以下、「引用発明１０」という）が記載されている。
R．「機構板４と別体に形成された通路部材１０を景品球排出通路９、余剰球排出通路１１の後面部分を覆うカバー２７の内側面に取付けるようにしている。」（第３頁第３欄第４２−４５行）　　　　　　　　
甲第１１号証：特開平６−９１０４６号公報
甲第１１号証には下記（S）に記載される発明（以下、「引用発明１１」という）が記載されている。
S．「１１１はアウト玉回収流路（アウト玉流路に相当）で、このアウト玉回収流路１１１は遊技領域の中央下部に形成されたアウト玉回収口６８から流入するアウト玉をホール側に回収するための通路である。・・・セーフ玉集合樋９３の中央部にはアウト玉回収流路１１１の入口となるアウト玉流入口（アウト玉導出流路に相当）１２０・・・の壁部を構成するアウト玉貫通口１２０ａが開口しており、このアウト玉貫通口１２０ａは遊技盤１３に形成された前述のアウト玉回収口６８に連通するものである。アウト玉貫通口１２０ａはパチンコ機２の前面方向から裏面方向に向うように形成されている。これは、アウト玉の流れる方向に対応する。」（第５頁第８欄第４１行−第６頁第９欄第１１行）　　
甲第１２号証：特開平３−１９５５８６号公報
甲第１２号証には下記（T）に記載される発明（以下、「引用発明１２」という）が記載されている。　　　　　　　　　　　　　
T．「１２５は球流下路１２０を兼ねかつ遊技を中止したとき等に供給皿１１８内のパチンコ球を供給皿１１８下方の受皿に排出するための球抜き機構のスライダで、パネル１２２の前面に設けた球抜きレバーを押すと、スライダ１２５が後退して球供給口１１９からのパチンコ球を球抜き樋１２６に落とし、受皿に排出する。」（第１０頁左上欄第２−８行）
　　　　　　　　　　　　　　　　　　　　　　　　　　　　　　　　　
（４）対比・判断
（4-1）本件発明１の特許に対して
　本件発明１と引用発明１ないし引用発明１２とを対比すると、これら各引用発明のいずれも、本件発明１を特定する事項である、「取り付けベースと通路カバーとをシールド板を介在した状態で後側からネジにより裏機構板に着脱自在に固定し」の構成（以下、「相違点１」という）を備えていない。
　すなわち、例えば引用発明１は「機構板３０」の後側に設けた「各通路３９、４２、３７、４３」を後側から塞ぐ板状の「鈴樋カバー５０」の後側に「除電樹脂１２０」によって形成された「基板ボックス取付ベース７１」を設け、この「基板ボックス取付ベース７１」の後側に、制御回路を構成した「プリント配線基板８７」を収納してなる、「除電樹脂１２０」によって形成された箱状の「基板ボックス７０」を着脱自在に装着したパチンコ遊技機を開示しているが、引用発明１は「プリント配線基板８７」を収納する「基板ボックス７０」及び該「基板ボックス７０」を着脱自在に装着する「基板ボックス取付ベース７１」を帯電防止材料である「除電樹脂１２０」によって形成することにより帯電防止を図ったものであって、相違点１における「シールド板」に相当するものを備えておらず、まして「シールド板」を取り付けるための構成を備えていないばかりか示唆してもいない。そこで、相違点１における「シールド板」に関連してさらにその他の引用発明２ないし引用発明１２をみると、相違点１における「シールド板」に対応するものとして、引用発明６は「導電性板部材３５」を、引用発明７は「上ケース４４」の内側に添設した「シールド部材４６」及び「下ケース４５」の外面側に設けた「シールド板５９」を、また引用発明８は「防護板５２」を、それぞれ備えているものの、これら「シールド板」に対応する部材の取付けは、「収納ケース２０の底板部２５の開口２４の外側にビスによって着脱自在に取り付けるか、又は底板部２５に貼付」（引用発明６）、「シールド部材４６は上ケース４４の内側に添設し、シールド板５９はその一側を係止片６１の下に挿入して係止させると共に係止部材６２を回動させて押圧部６２ｂでシールド板５９を押圧」（引用発明７）、また「収容ケース体５１内に敷設状にセット」（引用発明８）するものであって、いずれも制御基板を収納するケース体に「シールド板」に対応する部材を取り付けた後、上記ケース体をパチンコ機本体に取り付ける構成であるから、「取り付けベース」と「通路カバー」とを「シールド板を介在した状態」で同時かつ一体的に「後側からネジにより裏機構板に着脱自在に固定」することとした相違点１を開示してはおらず、また示唆してもいない。またその他の各引用発明は、相違点１における「シールド板」に相当するものを備えていないので、相違点１を開示するものではなく、また示唆するものでもない。
　そして、本件発明１は相違点１を備えたことにより、訂正明細書の段落【０１１４】に記載された、「板状の通路カバー９４の後側にシールド板（１４５）を介在して取り付けベース（８２）を設け、この取り付けベース８２と通路カバー９４とをシールド板１４５ を介在した状態で後側からネジ１４２ により裏機構板３３に着脱自在に固定し、取り付けベース８２の後側に、電子部品を装着した基板４９，５２ をケース５０，５３ 内に収納してなる制御ユニット４８，５１を着脱自在に装着しているので、裏カバー３２の下側近傍で配線等に効率的な位置に配置できると共に、制御ユニット４８，５１が通路カバー９４の後側にあるため、通路、特に抜き取り案内通路４３を他の通路と前後に重ねる必要がなく、抜き取り案内通路４３の通路断面積を大きく確保できる。更に、取り付けベース（８２）と通路カバー９４との間にシールド板１４５ を介在しているので、各通路４０，４１，４２，４３，４５内を通過する遊技球による制御ユニット４８，５１への影響を防止できる。」という作用効果を奏するものである。
  したがって、本件発明１は引用発明１ないし引用発明１２に基いて当業者が容易に成し得た発明ではない。
　なお、特許異議申立人は平成１４年６月１４日付けで上申書を提出し、上記相違点１は本件特許の出願前に公知の刊行物である特開平６−３１０２９号公報（資料１）に記載されているから、本件発明１は前記訂正によっても依然として特許法第２９条第２項の規定により特許を受けることができない旨を主張している。よって検討するに、資料１の段落【００７９】の記載によれば、「シールド板９４は上端縁９４ａおよび両側縁９４ｂの先端縁が制御回路基板９３の前面の端縁に当接し、上下結合部９４ｃ，９４ｄが保護ケース１０３の取付け部１０３ｅと制御回路基板９３との間に挟み込まれて遮蔽部９４ｅが制御回路基板９３から離れた状態で、制御回路基板９３およびシールド板９４の上下結合部９４ｃ，９４ｄに貫挿されたビス１６０によって制御回路基板９３とともに保護ケース１０３および下誘導体８４に結合されている。」のであり、これを相違点１との関連でみると、「シールド板９４」（相違点１の「シールド板」に対応する）は、「保護ケース１０３」（相違点１の「取り付けベース」に対応する）と「制御回路基板９３との間に挟み込まれ」（これに対して、相違点１においては「通路カバー」との間に挟み込まれ）て、「保護ケース１０３および下誘導体８４に結合」（これに対して、相違点１においては「後側からネジにより裏機構板に着脱自在に固定」）されている。すなわち相違点１においては、「シールド板」は「取り付けベース」と「通路カバー」との間にあって「裏機構板」に対して間接的に取り付けられているが、資料１に記載された発明では「シールド板９４」は「制御回路基板９３」と「保護ケース１０３」との間にあって「下誘導体８４に結合」されるものであり、相違点１における「裏機構板」に相当する「セット枠」に対して間接的に取り付けられてはいない。したがって、資料１には相違点１が記載されているとすることはできず、また示唆されているとすることもできないから、資料１は上記判断に影響を及ぼすものではない。
　　　　　　　　　　　　　　　                                     
（4-2）本件発明２及び本件発明３の特許に対して
　本件発明２と引用発明１ないし引用発明１２とを対比すると、これら各引用発明のいずれも、本件発明２を特定する事項である、「通路カバー（９４）に、後側に凹部（１３５ａ）（１３６ａ）を形成すべく前側に突出し且つ遊技球回収通路（４２）及び抜き取り案内通路（４３）内に嵌合する嵌合突部（１３５）（１３６）を、該遊技球回収通路（４２）及び抜き取り案内通路（４３）に沿って形成し」の構成（以下、「相違点２」という）を備えていない。すなわち、例えば引用発明１は「機構板３０」の後側に設けた「各通路３９、４２、３７、４３」を後側から塞ぐ板状の「鈴樋カバー５０」を有してはいるが、該「鈴樋カバー５０」は扁平板状であって、後側に凹部を形成すべく前側に突出する突部を備えておらず、まして遊技球回収通路及び抜き取り案内通路内に嵌合する嵌合突部を備えてはいない。ここで、特許異議申立人は、相違点２は周知の構成であると主張し、周知例として引用発明９及び引用発明１０をあげている。そこでこれらの各引用発明を検討するに、引用発明９は「景品玉放出通路１３０」、「連絡樋１４０」、及び「余剰玉通路１４１」の後面を覆い、これら各通路の後面壁を構成する「カバー体１５０」を備えており、該「カバー体１５０」の「開口１５９」は、前側に突出する立上り部を有しているが、この立上り部は「カバー体１５０」の後側に凹部を形成すべく前側に突出する突部ではなく、まして「景品玉放出通路１３０」、「連絡樋１４０」、及び「余剰玉通路１４１」の各通路内に嵌合する嵌合突部ではではない。また、引用発明１０は「景品球排出通路９」、「余剰球排出通路１１」の後面部分を覆う「カバー２７」を備えており、該「カバー２７」の内側面に「通路部材１０」を取付けたものであるが、該「通路部材１０」は「カバー２７」の後側に凹部を形成すべく前側に突出する突部ではなく、まして「景品球排出通路９」、「余剰球排出通路１１」の各通路内に嵌合する嵌合突部ではないので、これら引用発明９及び引用発明１０はいずれも相違点２を開示してはおらず、また示唆してもいない。またその他の各引用発明も相違点２を開示してはおらず、また示唆してもいない。
　そして、本件発明２は相違点２を備えたことにより、訂正明細書の段落【０１１５】に記載された、「通路カバー９４に、後側に凹部１３５a，１３６a を形成すべく前側に突出し且つ遊技球回収通路４２及び抜き取り案内通路４３内に嵌合する嵌合突部１３５，１３６ を、該遊技球回収通路４２及び抜き取り案内通路４３に沿って形成しているので、各通路４２，４３ 内を流れる遊技球の静電気による制御ユニット４８，５１への影響を極力少なくできると共に、この嵌合突部１３５，１３６によって通路カバー９４を軽量化しつつ補強できる。」という作用効果を奏するものである。
   したがって、本件発明２は引用発明１ないし引用発明１２に基いて当業者が容易に成し得た発明ではない。
　また、本件発明３は、本件発明２をさらに限定したものであるから、本件発明２に対する判断において成した理由と同様の理由により、引用発明１ないし引用発明１２に基いて当業者が容易に成し得た発明ではない。
　　　　　　　　　　　　　　　　　　　　　　　　　　　　　　　　　
（５）むすび
　以上のとおりであるから、特許異議の申立ての理由によっては本件発明１ないし本件発明３についての特許を取り消すことはできない。　
　また、他に本件発明１ないし本件発明３についての特許を取り消すべき理由を発見しない。
　したがって、本件発明１ないし本件発明３についての特許は拒絶の査定をしなけらばならない特許出願に対してされたものと認めない。　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月２８日（２００２．６．２８）
【訂正の要旨】
訂正の要旨
訂正事項ａ
特許請求の範囲の請求項１を以下のとおり訂正
　【請求項１】　前枠（４）に装着された遊技盤（１０）を前枠（４）側に押さえて固定する裏機構板（３３）に、遊技盤（１０）の後側の裏カバー（３２）が嵌合する開□窓（３５）を形成し、この開口窓（３５）の一側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）と通路カバー（９４）とをシールド板（１４５）を介在した状態で後側からネジ（１４２）により裏機構板（３３）に着脱自在に固定し、取り付けベース（８２）の後側に、電子部品を装着した基板（４９）（５２）をケース（５０）（５３）内に収納してなる制御ユニット（４８）（５１）を着脱自在に装着したことを特徴とする弾球遊技機の通路装置。
訂正事項ｂ
特許請求の範囲の請求項２を以下のとおり訂正
　【請求項２】　前枠（４）に装着された遊技盤（１０）を前枠（４）側に押さえて固定する裏機構板（３３）に、遊技盤（１０）の後側の裏カバー（３２）が嵌合する開□窓（３５）を形成し、この開□窓（３５）の−側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）の後側に、電子部品を装着した基板（４９）（５２）をケース（５０）（５３）内に収納してなる制御ユニット（４８）（５１）を着脱自在に装着し、通路カバー（９４）に、後側に凹部（１３５ａ）（１３６ａ）を形成すべく前側に突出し且つ遊技球回収通路（４２）及び抜き取り案内通路（４３）内に嵌合する嵌合突部（１３５）（１３６）を、該遊技球回収通路（４２）及び抜き取り案内通路（４３）に沿って形成したことを特徴とする弾球遊技機の通路装置。
訂正事項ｃ
特許請求の範囲の請求項３を以下のとおり訂正
　【請求項３】　嵌合突部（１３５）（１３６）の前面に、この嵌合突部（１３５）（１３６）から前側に突出し且つ各通路（４２）（４３）内を移動す遊技球を通路方向に案内する複数本の案内突条（１３７）（１３８）を一体に形成したことを特徴とする請求項２に記載の弾球遊技機の通路装置。
訂正事項ｄ
特許明細書の段落【００１２】を以下のとおり訂正
　【００１２】
　【課題を解決するための手段】
　請求項１に記載の本発明は、前枠４に装着された遊技盤１０を前枠４側に押さえて固定する裏機構板３３に、遊技盤１０の後側の裏カバー３２が嵌合する開ロ窓３５を形成し、この開口窓３５の一側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる益流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５を介在して取り付けベース８２を設け、この取り付けベース８２と通路カバー９４とをシールド板１４５を介在した状態で後側からネジ１４２により裏機構板３３に着脱自在に固定し、取り付けベース８２の後側に、電子部品を装着した基板４９，５２をケース５０，５３内に収納してなる制御ユニット４８，５１を着脱自在に装着したものである。
訂正事項ｅ
特許明細書の段落【００１３】を以下のとおり訂正
　【００１３】
　請求項２に記載の本発明は、前枠４に装着された遊技盤１０を前枠４側に押さえて固定する裏機構板３３に、遊技盤１０の後側の裏カバー３２が嵌合する開口窓３５を形成し、この開ロ窓３５の−側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる溢流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５を介在して取り付けベース８２を設け、この取り付けベース８２の後側に、電子部品を装着した基板４９，５２をケース５０，５３内に収納してなる制御ユニット４８，５１を着脱自在に装着し、通路カバー９４に、後側に凹部１３５ａ，１３６ａを形成すべく前側に突出し且つ遊技球回収通路４２及び抜き取り案内通路４３内に嵌合する嵌合突部１３５，１３６を、該遊技球回収通路４２及び抜き取り案内通路４３に沿って形成したものである。
訂正事項ｆ
特許明細書の段落【００１４】を以下のとおり訂正
　【００１４】
　請求項３に記載の本発明は、請求項２に記載の発明において、嵌合突部１３５，１３６の前面に、この嵌合突部１３５，１３６から前側に突出し且つ各通路４２，４３内を移動す遊技球を通路方向に案内する複数本の案内突条１３７，１３８を一体に形成したものである。
訂正事項ｇ
特許明細書の段落【０１１４】を以下のとおり訂正
　【０１１４】
　しかも板状の通路カバー９４の後側にシールド板（１４５）を介在して取り付けベース（８２）を設け、この取り付けベース８２と通路カバー９４とをシールド板１４５を介在した状態で後側からネジ１４２により裏機構板３３に着脱自在に固定し、取り付けベース８２の後側に、電子部品を装着した基板４９，５２をケース５０，５３内に収納してなる制御ユニット４８，５１を着脱自在に装着しているので、裏カバー３２の下側近傍で配線等に効率的な位置に配置できると共に、制御ユニット４８，５１が通路カバー９４の後側にあるため、通路、特に抜き取り案内通路４３を他の通路と前後に重ねる必要がなく、抜き取り案内通路４３の通路断面積を大きく確保できる。更に、取り付けベース（８２）と通路カバー９４との間にシールド板１４５を介在しているので、各通路４０，４１，４２，４３，４５内を通過する遊技球による制御ユニット４８，５１への影響を防止できる。
訂正事項ｈ
特許明細書の段落【０１１５】を以下のとおり訂正
　【０１１５】
　請求項２に記載の本発明によれば、通路カバー９４に、後側に凹部１３５ａ，１３６ａを形成すべく前側に突出し且つ遊技球回収通路４２及び抜き取り案内通路４３内に嵌合する嵌合突部１３５，１３６を、該遊技球回収通路４２及び抜き取り案内通路４３に沿って形成しているので、各通路４２，４３内を流れる遊技球の静電気による制御ユニット４８，５１への影響を極力少なくできると共に、この嵌合突部１３５，１３６によって通路カバー９４を軽量化しつつ補強できる。
訂正事項ｉ
特許明細書の段落【０１１６】を以下のとおり訂正
　【０１１６】
　請求項３に記載の本発明によれば、請求項２に記載の発明において、嵌合突部１３５，１３６の前面に、この嵌合突部１３５，１３６から前側に突出し且つ各通路４２，４３内を移動す遊技球を通路方向に案内する複数本の案内突条１３７，１３８を一体に形成しているので、通路４２，４３内の遊技球と制御ユニット４８，５１との間隔を更に大にできると共に、通路カバー９４の強度を確保できる。
（５４）【発明の名称】
弾球遊技機の通路装置
（５７）【特許請求の範囲】
　【請求項１】　前枠（４）に装着された遊技盤（１０）を前枠（４）側に押さえて固定する裏機構板（３３）に、遊技盤（１０）の後側の裏カバー（３２）が嵌合する開口窓（３５）を形成し、この開口窓（３５）の一側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）
と通路カバー（９４）とをシールド板（１４５）を介在した状態で後側からネジ（１４２）により裏機構板（３３）に着脱自在に固定し、取り付けベース（８２）
　【請求項２】　
前枠（４）に装着された遊技盤（１０）を前枠（４）側に押さえて固定する裏機構板（３３）に、遊技盤（１０）の後側の裏カバー（３２）が嵌合する開口窓（３５）を形成し、この開口窓（３５）の一側で裏機構板（３３）に賞球払い出し装置（３７）を設けると共に、この裏機構板（３３）の後側の下部側に、賞球払い出し装置（３７）から払い出された賞球を遊技球供給皿（２０）に案内する賞球案内通路（４０）と、遊技球供給皿（２０）の遊技球が満杯状態の時に賞球払い出し装置（３７）から払い出された賞球を溢流させる溢流案内通路（４１）と、溢流案内通路（４１）からの賞球を受け皿（２２）に落下させて案内する落下案内通路（４５）と、遊技球を島構造体側に回収する遊技球回収通路（４２）と、賞球払い出し装置（３７）の賞球の抜き取り時に、該賞球払い出し装置（３７）からの賞球を遊技球回収通路（４２）側に案内する抜き取り案内通路（４３）とを備えた弾球遊技機において、各通路（４０）（４１）（４２）（４３）（４５）を裏機構板（３３）に一体に形成すると共に、裏カバー（３２）の下側の各通路（４０）（４１）（４２）（４３）（４５）の裏機構板（３３）からの突出量を略同一に構成して、これら各通路（４０）（４１）（４２）（４３）（４５）を後側から塞ぐ板状の通路カバー（９４）を設け、この通路カバー（９４）の後側にシールド板（１４５）を介在して取り付けベース（８２）を設け、この取り付けベース（８２）の後側に、電子部品を装着した基板（４９）（５２）をケース（５０）（５３）内に収納してなる制御ユニット（４８）（５１）を着脱自在に装着し、
る弾
　【請求項３】　嵌合突部（１３５）（１３６）の前面に、この嵌合突部（１３５）（１３６）から前側に突出し且つ各通路（４２）（４３）内を移動す遊技球を通路方向に案内する複数本の案内突条（１３７）（１３８）を一体に形成したことを特徴とする請求
項２
【発明の詳細な説明】
　【０００１】
　【産業上の利用分野】
　本発明は、パチンコ機、アレンジボール機、雀球機等の弾球遊技機の通路装置に関するものである。
　【０００２】
　【従来の技術】
　パチンコ機等の弾球遊技機は、従来、外枠とこの外枠に開閉自在に枢着された前枠とからなる弾球遊技機本体を備え、その前枠の後側に遊技盤、発射装置、裏機構板、賞球タンク、賞球払い出し装置、通路ユニット等が設けられている。
　前枠には、三方枠を介して後側から遊技盤が着脱自在に嵌着されると共に、この遊技盤を前枠側に押さえて固定する裏機構板が開閉自在に枢支されている。遊技盤には入賞装置等の遊技部品と、この遊技部品等を後側から覆う裏カバーとが装着され、その裏カバーの後側に、遊技盤側の遊技動作等を制御する電子部品組み込んだ遊技制御ユニットが取り付けられている。
　【０００３】
　裏機構板には、遊技盤を押さえた時に、その裏カバーが嵌合する開口窓が形成され、この開口窓の上側に賞球タンクが、開口窓の一側部に賞球払い出し装置が夫々装着され、また賞球払い出し装置の下側から開口窓の下側にわたる下隅部に通路ユニットが装着されている。
　【０００４】
　通路ユニットには、賞球払い出し装置から払い出された賞球を遊技球供給用の上皿に案内する賞球案内通路と、上皿の遊技球が満杯状態の時に賞球払い出し装置から払い出される賞球を溢流させる溢流案内通路と、この溢流案内通路からの賞球を受け用の下皿に連通する連通路に落下させる落下案内通路と、島構造体側に遊技球を回収する遊技球回収通路と、賞球払い出し装置側からの賞球の抜き取り時に、この賞球払い出し装置からの賞球を遊技球回収通路に案内する抜き取り案内通路と、ゲーム時に遊技盤の後側に通過した遊技球を遊技球回収通路に案内する回収案内通路とが設けられている。
　【０００５】
　制御ユニットは、自動球貸し機用等であって、パチンコ機の前側に配置された操作部から球貸し信号があった時に、その球貸し信号に応じた球払い出し装置から遊技球供給皿に払い出させるためのものであり、通路ユニットの下側で裏機構板に固定されている。
　【０００６】
　【発明が解決しようとする課題】
　従来の弾球遊技機では、通路ユニットを裏機構板とは別に構成し、この通路ユニットを裏機構板の後側に装着する構造を採用している。即ち、従来の通路装置は、裏機構板の後方に板状の通路板が平行に配置され、この通路板の前側に遊技球回収通路と抜き取り案内通路と回収案内通路とが、後側に賞球案内通路と溢流案内通路と落下案内通路とが夫々配置されている。
　【０００７】
　そこで、従来は、合成樹脂製の通路板の前後両側に各通路の通路壁を一体に形成し、この通路板を裏機構板に後側から当接させて遊技球回収通路と抜き取り案内通路と回収案内通路とを構成する一方、通路板の後側に通路カバーを当接させて賞球案内通路と溢流案内通路と落下案内通路とを構成している。
　【０００８】
　この従来の通路装置では、通路ユニットを通路板と通路カバーとにより構成し、この通路ユニットを裏機構板の下隅部に後側から装着しているため、裏機構板の他に、前後両側に通路壁が一体に形成された通路板と、通路カバーとが必要であり、合成樹脂成形による成形品の部品点数が増える欠点がある。この結果、部品管理が煩雑となり、また組み立て時の組み立て工数が増加する等の問題がある。
　【０００９】
　また従来では裏機構板の下隅部の裏面側を平坦面に形成し、その平坦部分に、通路板側に一体成形した通路壁を後側から当接させているので、裏機構板の平坦部分の剛性、強度が低下する。従って、裏機構板の平坦部分の強度を十分に確保するには、裏機構板の前面側に補強リブを一体に形成する等の補強対策を別に講じる必要がある。
　しかも、通路装置は一般に合成樹脂製の成形品であり、合成樹脂材料で各通路の底壁を構成しているため、通路内を流れる遊技球、取り分け遊技球が落下する箇所では通路の底壁が著しく損傷する欠点がある。
　【００１０】
　更に、従来は制御ユニットを通路ユニットの下側に配置する関係からも、各通路を前後に重ね合わせる必要があり、遊技球の通過量が多い抜き取り案内通路も他の通路と前後に重ね合わせる必要がある。このため、各通路、特に抜き取り案内通路の通路断面積が小さくなり、賞球払い出し装置の賞球を抜き取る時の抜き取り速度が遅くなる欠点がある。
　【００１１】
　本発明は、かかる従来の課題に鑑み、部品点数を削減できると共に、裏機構板の下隅部の剛性、強度を容易に確保でき、しかも通路、特に抜き取り案内通路の通路断面積を大きく確保でき、更には制御ユニットを効率的位置に配置でき、且つ遊技球の静電気による制御ユニットの誤動作を防止できる弾球遊技機の通路装置を提供することを目的とする。
　【００１２】
　【課題を解決するための手段】
　請求項１に記載の本発明は、前枠４に装着された遊技盤１０を前枠４側に押さえて固定する裏機構板３３に、遊技盤１０の後側の裏カバー３２が嵌合する開口窓３５を形成し、この開口窓３５の一側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる溢流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５を介在して取り付けベース８２を設け、この取り付けベース８２
と通路カバー９４とをシールド板１４５を介在した状態で後側からネジ１４２により裏機構板３３に着脱自在に固定し、取り付けベース８２
　【００１３】
　請求項２に記載の本発明は、
前枠４に装着された遊技盤１０を前枠４側に押さえて固定する裏機構板３３に、遊技盤１０の後側の裏カバー３２が嵌合する開口窓３５を形成し、この開口窓３５の一側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる溢流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設け、この通路カバー９４の後側にシールド板１４５を介在して取り付けベース８２を設け、この取り付けベース８２の後側に、電子部品を装着した基板４９，５２をケース５０，５３内に収納してなる制御ユニット４８，５１を着脱自在に装着し
　【００１４】
　請求項３に記載の本発明は、請求
項２
　【００１５】
　【作用】
　賞球払い出し装置３７により払い出された賞球は、賞球案内通路４０を経て遊技球供給皿２０に案内する。この時、遊技球供給皿２０の遊技球が満杯状態であれば、賞球払い出し装置３７から払い出された後続の賞球は溢流案内通路４１を経て受け皿２２に溢流させる。ゲームに際して遊技盤１０の後側に通過した遊技球は、回収案内通路４４を経て島構造体側に案内し回収する。
　【００１６】
　賞球払い出し装置３７の賞球を抜き取る際には、賞球払い出し装置３７からの賞球を抜き取り案内通路４３を経て島構造体側に案内し回収する。
　通路カバー９４の後側の制御ユニット４８，５１により所定の制御を行う。この時、各通路４０，４１，４２，４３，４５内を通る遊技球に静電気が帯電していても、シールド板１４５で制御ユニット４８，５１に対する影響を遮断する。
　【００１７】
　【実施例】
　以下、本発明の実施例を図面に基づいて詳述する。
　図１はカード式アレンジボール機の正面図であり、１はアレンジボール機本体１で、矩形枠状の外枠２と、この外枠２の前面に左右方向の一端側のヒンジ３により縦軸廻りに開閉自在に枢着された前枠４とによって構成されている。アレンジボール機本体１は、カード式の自動球貸し機５と左右に交互に並べた状態で島構造体に装着されている。
　【００１８】
　前枠４には窓孔６と、この窓孔６に上下に配置され且つ開閉自在に枢支されたガラス扉８及び前面板９を備え、窓孔６に対応して前枠４の後側に遊技盤１０が着脱自在に装着されている。
　なお、自動球貸し機５は、プリペイドカードを挿脱自在に挿入するカード挿入口１１を備え、そのカード挿入口１１にプリペイドカードを挿入した時にカード挿入表示灯１２が点灯するようになっている。
　【００１９】
　遊技盤１０の前面には、発射された遊技球を案内するガイドレール１３が設けられると共に、このガイドレール１３によって取り囲まれた中央部に画像表示装置１４、上入球口１５、左入球口１６、右入球口１７、下部入球装置１８及び下部カバー１９が配置されている。
　前面板９には遊技球供給用の上皿２０が設けられ、この上皿２０の上縁部に球貸し操作部２１が、前縁部に球抜きレバーが夫々設けられている。前枠４の下部には下皿２２と発射装置２３用の発射ハンドル２４が夫々設けられている。
　【００２０】
　図２はアレンジボール機の背面図を示す。図２において、２５は発射装置２３の発射モータで、図３及び図４に示すように、前枠４の後側に固定され、その回転軸２６に固定されたカム２７等を介して打撃槌２８を駆動するようになっている。
　打撃槌２８は前枠４に枢支され、発射ハンドル２４を操作した時に、上皿２０から発射レール２９上に１個づつ供給される遊技球を打撃してガイドレール１３へと発射するようになっている。発射モータ２５はモータ取り付け台３０を介して前枠４に固定され、またモータ取り付け台３０には発射モータ２５を制御する発射制御基板３１が取り付けられている。
　【００２１】
　３２は裏カバーで、遊技盤１０の後側に突出する画像表示装置１４、入球口１５〜１７等の各遊技部品と、これらの下側の下部入球装置１８とを後側から覆うように、遊技盤１０の裏面側に装着されている。
　【００２２】
　３３は裏機構板で、前枠４側に装着された遊技盤１０を後側から押さえて固定するためのものであり、前枠４の後側に左右方向の一端側のヒンジ３４により縦軸廻りに開閉自在に枢支され、且つ閉状態で遊技盤１０を押さえ付けて固定するようになっている。裏機構板３３には、遊技盤１０の裏カバー３２に対応する位置に開口窓３５が形成され、この裏機構板３３で遊技盤１０を押さえて固定した時に、開口窓３５に裏カバー３２が嵌合して後方に突出するようになっている。
　【００２３】
　３６は賞球を貯留する賞球タンクで、裏カバー３２の上側で裏機構板３３の後側に装着されている。３７は賞球払い出し装置で、払い出しモータ３８を備えると共に、裏カバー３２のヒンジ３４側の近傍で裏機構板３３の裏面側の左右一側に縦長状に装着されており、賞球タンク３６から供給される賞球を所要数づつ上皿２０へと払い出すように構成されている。
　【００２４】
　３９は通路ユニットで、下部入球装置１８及び賞球払い出し装置３７の下側で裏機構板３３に装着されている。通路ユニット３９は、図３に示すように、賞球払い出し装置３７から払い出された賞球を上皿２０に案内する賞球案内通路４０と、上皿２０の遊技球が満杯状態の時に、賞球払い出し装置３７から払い出される賞球を下皿２２に溢流させる溢流案内通路４１と、島構造体側に遊技球を回収する遊技球回収通路４２と、賞球払い出し装置３７側からの賞球の抜き取り時に、この賞球払い出し装置３７からの賞球を遊技球回収通路４２に案内する抜き取り案内通路４３と、ゲーム時に遊技盤１０の後側に通過した遊技球を遊技球回収通路４２に案内する回収案内通路４４と、溢流案内通路４１から落下する賞球を下皿２２側に案内する落下案内通路４５とを備えている。
　【００２５】
　９０は裏カバー３２の下部に装着された遊技制御ユニットで、ゲーム時に遊技盤１０側の遊技動作を制御するＩＣ素子等の電子部品を装着した遊技制御基板４６が遊技制御ケース４７内に組み込まれている。４８は払い出し制御ユニットで、賞球払い出し装置３７の払い出し動作の制御を司るＩＣ素子等の電子部品を装着した払い出し制御基板４９が払い出し制御ケース５０内に組み込まれている。
　【００２６】
　５１は球貸し制御ユニットで、自動球貸し機５を使用する時に、球貸し操作部２１からの指令に応じて賞球払い出し装置３７を作動させて、貸し球を上皿２０に払い出させるための球貸し制御基板５２が球貸し制御ケース５３内に組み込まれている。払い出し制御ユニット４８及び球貸し制御ユニット５１は、下部入球装置１８及び裏カバー３２の下側近傍で裏機構板３３の通路ユニット３９の後側に左右に並べて装着されている。
　【００２７】
　遊技盤１０は、図５乃至図７に示すように、下セット板５４の上側で三方枠５５に後側から着脱自在に嵌合され、且つ裏機構板３３により後側から押さえて固定されている。三方枠５５は、前枠４に形成された窓孔６を左右及び上側から取り囲むように門形状に構成され、前枠４の裏面側に固定されている。そして、三方枠５５の下部側に下セット板５４が装着されている。
　【００２８】
　画像表示装置１４は、図１及び図５に示すように、遊技盤１０に前側から着脱自在に装着された表示窓枠５６と、表示窓枠５６の後側に配置された液晶型の画像表示部５７と、この画像表示部５７を前側から覆い且つ画像表示部５７の画像を透視可能な保護板５８とを備えている。
　【００２９】
　表示窓枠５６は矩形状であって、遊技盤１０の開口に前側から嵌合された状態でネジ等で着脱自在に固定されている。画像表示部５７及び保護板５８は、その上側が若干後側になるように後ろ傾斜状に配置されている。画像表示部５７は、これを駆動するための駆動用電子部品を装着した駆動基板５８ａと共に表示部ケース５９内に組み込まれており、表示部ケース５９を介して球集合板６０に後側から着脱自在に装着されている。
　【００３０】
　駆動基板５８ａには、入球口１５〜１７に遊技球が入球した時に３桁の数字図柄を一定時間だけ変動表示する図柄表示機能と、その停止図柄が「７・７・７」等の当たり図柄の時に大当たりを表示する大当たり表示機能、入賞役の成立を表示する入賞役表示機能、入賞得点を表示する入賞得点表示機能、ゲーム回数を表示するゲーム回数表示機能、及びゲーム中にその他の所定の遊技情報を画像表示する遊技情報機能を有し、その各機能に基づいて画像表示部５７に各画像を表示させるようになっている。
　【００３１】
　球集合板６０は各入球口１５〜１７に入球した遊技球を下側に案内する案内通路６１が一体に形成され、下部入球装置１８の上側で遊技盤１０の後側に装着されている。
　下部入球装置１８は、図１、図３、図５乃至図７に示すように、１６個の入球口６２を有する入球ケース６３と、入球口６２等に入球して遊技盤１０の後側に通過した後の遊技球を集球して、球集合板６０からの遊技球と共に通路ユニット３９の回収案内通路４４側に案内する集球ケース６４と、各入球口６２に入球した遊技球を検出する入球検出スイッチ６５とを備え、入球ケース６３が遊技盤１０の開口部６６に後側から嵌合された状態で、集球ケース６４側が遊技盤１０の裏面側に着脱自在に固定されている。
　【００３２】
　入球ケース６３には、横一列状に入球口６２が形成され、この各入球口６２は遊技盤１０の開口部６６から前側に突出している。各入球検出スイッチ６５は各入球口６２に対応するようにスイッチ基板６７に装着され、またスイッチ基板６７には遊技球の入球位置を表示する入球位置表示装置６８が設けられている。
　【００３３】
　裏カバー３２は、図５及び図６に示すように、画像表示装置１４、入球口１５〜１７等の各遊技部品、球集合板６０、中継基板１４６等から下部入球装置１８に跨がって、これら全体を後側から覆うように、遊技盤１０の裏面側に取り付けベースを介して着脱自在に装着されている。
　【００３４】
　裏カバー３２は遊技盤１０側が開放した箱状であって、この裏カバー３２の上半分には後方に膨らむ膨らみ部６９が設けられている。膨らみ部６９側は、遊技盤１０の後側に大きく突出する遊技部品を装着した場合にも、その遊技部品が膨らみ部６９内に十分収まり得るように後側に突出して形成されている。一方、裏カバー３２の膨らみ部６９の下側は、その内部に下部入球装置１８が収まる程度であって、膨らみ部６９の上後壁部７０よりも突出量が小さくなるように構成されている。そして、膨らみ部６９の下側の下後壁部７１に遊技制御ユニット９０が着脱自在に装着されている。
　【００３５】
　裏カバー３２の各後壁部７０，７１は上下とも遊技盤１０と略平行になっており、その上後壁部７０には点検窓７２と、この点検窓７２を開閉自在に塞ぐ窓蓋７３とが設けられている。裏機構板３３には、この裏機構板３３を閉じて遊技盤１０を固定する時に、裏カバー３２が嵌合する開口窓３５が形成されると共に、裏カバー３２の一側方に近接するように賞球払い出し装置３７が上下方向に装着されている。
　【００３６】
　賞球払い出し装置３７は、図１２に示すように、払い出しケース７４の払い出し室７５内に回転体７６を設け、この回転体７６を払い出しモータ３８で横軸心廻りに駆動して、賞球タンク３６から払い出しケース７４内の供給通路７７に供給される賞球を回転体７６の回転によって払い出し口７８側から払い出すと共に、開閉操作機構７９の操作によって供給通路７７の下端部の開閉板８０を開放し、供給通路７７から上側の賞球を抜き取り口８１から抜き取るようになっている。
　【００３７】
　なお、払い出しモータ３８は払い出しケース７４の一側に固定され、裏カバー３２側に近接した状態で配置されている。また払い出し口７８と抜き取り口８１は払い出しケース７４の下端部に前後に重なるように設けられている。
　遊技制御ユニット９０は、図２及び図５に示すように、横長矩形状の遊技制御ケース４７の内部に遊技制御基板４６が収納され、その遊技制御ケース４７は裏カバー３２の下側の下後壁部７１に係合構造を介して着脱自在に装着されている。なお、遊技制御ケース４７の前面にはシールド板（図示省略）が装着されている。
　【００３８】
　払い出し制御ユニット４８と球貸し制御ユニット５１は、図６乃至図１１に示すように、取り付けベース８２を介して通路ユニット３９の後側に装着されている。取り付けベース８２は横長矩形状であって、シールド板１４５を介在した状態で通路ユニット３９の後側にネジ１４２等で着脱自在に装着されている。取り付けベース８２には、その上下両端に左右方向の係合レール８３が設けられ、この上下一対の係合レール８３間に払い出し制御ユニット４８と球貸し制御ユニット５１とが後側から着脱自在に装着されている。
　【００３９】
　払い出し制御基板４９には、賞球払い出し装置３７の払い出しモータ３８等を制御するＩＣ素子等の電子部品が中央部にプリント配線されている。球貸し制御基板５２には、カード式アレンジボール機の場合に、球貸し操作部２１と自動球貸し機５と払い出し制御基板４９とを接続するインターフェース用の電子部品が中央部にプリント配線されている。そして、払い出し制御基板４９と球貸し制御基板５２は、両ユニット４８，５１を取り付けベース８２に装着した時に、互いに接続するコネクタを備えている。
　【００４０】
　下セット板５４は前面板９の後側で前枠４に固定されている。下セット板５４には、図４及び図７に示すように、発射装置２３の発射レール２９、効果音発生用のスピーカー８４及び前枠側基板８５等が装着されている。
　【００４１】
　前枠側基板８５は、図２に示すように、発射装置２３の上側近傍で且つ発射装置２３と払い出し制御ケース５０との間に対応する位置に配置され、下セット板５４の後側にネジ等で着脱自在に装着されている。この前枠側基板８５には、発射装置２３の発射モータ２５を制御する電子部品の他、前枠４側に装着される大当たり表示灯、槌先検出スイッチ、スピーカー８４等の付属機器類に関連する電子部品が装着されている。
　【００４２】
　裏機構板３３は、図１３に示す如く、開口窓３５の上下両側に上横板部３３ａと下横板部３３ｂを、開口窓３５の左右両側に左縦板部３３ｃと右縦板部３３ｄを夫々有する。そして、この裏機構板３３には、ヒンジ３４側にある左縦板部３３ｃが広幅となり、反対側にある右縦板部３３ｄが狭幅となるように、左右方向の中央よりも右側に偏位した位置に開口窓３５が形成されている。
　【００４３】
　裏機構板３３には、図４、図６及び図１１に示す如く、その内周補強リブ８６と外周補強リブ８７とが内外両側に一体に形成されている。内周補強リブ８６は、開口窓３５の周縁部分で裏機構板３３の前後両側に突出して一体に形成されると共に、賞球払い出し装置３７の下側の下隅部を除くように、その略全周に亘って周方向に連続状に形成されている。
　【００４４】
　開口窓３５は下部側が角形であって、この開口窓３５の底辺側の内周補強リブ８６は、図４及び図６に示すように、前後とも上面が同一高さとなる略水平状に形成され、この底辺側を除く他の部分は、後側の内周補強リブ８６が開口窓３５の周縁にあるのに対して、前側の内周補強リブ８６が若干外側になるように設けられている。外周補強リブ８７は裏機構板３３から前側に一体に形成されている。
　【００４５】
　内周補強リブ８６と外周補強リブ８７との間隔は、図１１及び図１３に示すように左縦板部３３ｃが大であり、右縦板部３３ｄが小である。そして、左縦板部３３ｃの上部側には、内周補強リブ８６と外周補強リブ８７とを連結し補強する連結リブ８９が上下、左右に一体に形成され、また右縦板部３３ｄには、両補強リブ８６，８７間を左右に連結する連結リブ８８が上下方向に複数個形成されている。
　【００４６】
　通路ユニット３９は、図３に示すように、左縦板部３３ｃから下横板部３３ｂに跨がって裏機構板３３の下隅部の後側に配置されている。そして、この通路ユニット３９の各通路４０〜４５は、図３、図６乃至図１１、図１４乃至１９に示すように構成されている。
　【００４７】
　即ち、遊技球回収通路４２と回収案内通路４４は、図３及び図７に示すうに、下横板部３３ｂの左右方向の中央よりも左側に偏位して上下方向に配置され、この両通路４２，４４の右側に落下案内通路４５が配置されている。遊技球回収通路４２と回収案内通路４４は、裏機構板３３の下横板部３３ｂの上部側に傾斜状に形成された傾斜壁部９１と、この傾斜壁部９１の左右両側から後方に下横板部３３ｂと一体に突出形成された左右一対の通路壁９２，９３と、この通路壁９２，９３間を後側から塞ぐ通路カバー９４とによって構成されている。
　【００４８】
　傾斜壁部９１は上端が内周補強リブ８６の前端と一致するように傾斜しており、この傾斜壁部９１の前側には前方に突出する縦突条９１ａが左右方向に間隔をおいて一体に形成されている。
　遊技球回収通路４２の下端部は、裏機構板３３の下横板部３３ｂから下方に突出しており、その突出部分は後側に傾斜状に屈曲している。つまり、一対の通路壁９２，９３の下端部には、縦方向の縦突条９５を有する傾斜壁部９６が形成され、通路カバー９４に、この傾斜壁部９６に対応して膨出通路壁９７が後側に膨らむように形成されている。なお、膨出通路壁９７の内面には、縦方向の縦突条９８が複数個形成されている。
　【００４９】
　抜き取り案内通路４３は、図１５及び図１６に示すように、賞球払い出し装置３７の払い出し口７８から下方に延びる縦通路部９９と、この縦通路部９９の下端から屈曲して遊技球回収通路４２の上部側に通路壁９３側から連通する傾斜通路部１００とを備えた略Ｌ字状である。そして、この抜き取り案内通路４３は、その縦通路部９９が左縦板部３３ｃに、傾斜通路部１００が下横板部３３ｂに夫々位置するように、裏機構板３３の下隅部に沿って配置されている。
　【００５０】
　抜き取り案内通路４３は、裏機構板３３の左縦板部３３ｃ及び下横板部３３ｂと、この左縦板部３３ｃ及び下横板部３３ｂから後側に一体に突出して形成された内外一対の通路壁１０１，１０２と、この通路壁１０１，１０２間を後側から塞ぐ通路カバー９４とによって構成されている。外側の通路壁１０２の隅部は円弧状に湾曲し、内側の通路壁１０１の隅部は角形に屈曲している。
　【００５１】
　縦通路部９９の下端部には、この縦通路部９９内を落下する抜き取り球が衝突してその衝撃を緩和する緩衝突部１０３が、各通路壁１０１，１０２から縦通路部９９内に突出するように一体に形成されている。各緩衝突部１０３は内側が下向きに傾斜した三角形であって、内側の通路壁１０１の緩衝突部１０３がその下端に位置し、且つ外側の通路壁１０２の緩衝突部１０３がこれよりも上側に位置するように、上下方向に間隔をおいて配置されている。
　【００５２】
　賞球案内通路４０は、図１４乃至図１７に示すように、賞球払い出し装置３７の払い出し口７８の下側の縦通路部１０４と、この縦通路部１０４の下端から左右内側方に屈曲し傾斜する傾斜通路部１０５と、この傾斜通路部１０５の縦通路部１０４と反対側の端部から下方に延びて上皿２０側に連通する落下通路部１０６とを備え、その落下通路部１０６の上部に、前下がりに傾斜して傾斜通路部１０５からの賞球を落下通路部１０６内で上皿２０側に落下させる落下テーブル１０７とを備えている。
　【００５３】
　縦通路部１０４と傾斜通路部１０５は、通路カバー９４の上端部に、この通路カバー９４から後側に膨らむように背面視略Ｌ字状に突出形成された膨出通路壁１０８により構成されている。落下テーブル１０７は傾斜通路部１０５の底側から前側に一体突出して形成され、その先端部は通路カバー９４から前側に傾斜状に突出している。落下テーブル１０７の下側には、この落下テーブル１０７を下側から補強するように円弧状に湾曲する補強部１０９が、落下テーブル１０７の前端部から通路カバー９４に跨がって形成されている。
　【００５４】
　賞球案内通路４０の縦通路部１０４は、図９及び図１１に示すように、抜き取り案内通路４３の縦通路部９９の上端部の後側に重なっており、この賞球案内通路４０と抜き取り案内通路４３との両縦通路部９９，１０４は金属板製の区画板１１０により前後に区画されている。
　【００５５】
　区画板１１０は賞球案内通路４０の縦通路部１０４に底部に沿って後側に屈曲した底板１１１を一体に備え、一対の通路壁１０１，１０２と通路カバー９４の縦通路部１０４の両側壁との間で左右両側部及び前後両側から挟持されて固定されている。区画板１１０の上端部には、取り付け部１１０ａと接続端子部１１０ｂとが設けられている。接続端子部１１０ｂはアース線を接続できるように通路カバー９４から後側に突出している。
　【００５６】
　落下通路部１０６は、図１４に示す如く一部が開口窓３５側に突出するように、抜き取り案内通路４３の内側の通路壁１０１から開口窓３５側に溢流案内通路４１の幅分だけ突出して一体形成された通路壁１１２と、通路壁１０１，１１２の下端に前下がり状に固定された受けテーブル１１３とにより構成されている。
　【００５７】
　落下通路部１０６は、図８に示すように、後側が上下方向の全長に亘って開口すると共に、前側の下部に開口部１０６ａを有し、その開口部１０６ａが下セット板５４側の角筒状の案内通路１１４に連通されている。案内通路１１４は前面板９側の角筒状の案内通路１１５を介して下皿２２に連通されている。
　【００５８】
　溢流案内通路４１は、図８、図１６等に示すように、抜き取り案内通路４３に対して開口窓３５側、即ち、裏機構板３３の内側に、その抜き取り案内通路４３に沿って略Ｌ字状に形成されている。そして、この溢流案内通路４１は、上端側が受けテーブル１１３の後側を経てその上側で落下通路部１０６に連通すると共に、落下案内通路４５の近傍において、上下方向の回収案内通路４４に対してその後側で左右方向に交差するように設けられている。
　【００５９】
　溢流案内通路４１は、図１６等に示すように、通路壁１０１と、この通路壁１０１に対向して内側に一体に形成された通路壁１１６と、受けテーブル１１３の後端と通路壁９２との間で一対の通路壁１０１，１１６間に一体に形成された前壁部１１７と、通路壁１０１，１１６間を後側から塞ぐ通路カバー９４とにより構成されている。
　【００６０】
　溢流案内通路４１の通路壁１１６は傾斜壁部９１を含む前壁部１１８まで前方に延びており、集球ケース６４からの遊技球を前壁部１１８と共に回収案内通路４４の上端に案内できるようになっている。
　溢流案内通路４１と回収案内通路４４は、図７及び図１６に示すように前後に重なった状態で交差しており、溢流案内通路４１は回収案内通路４４によって落下案内通路４５側と左右に分断されている。そして、この両者の交差部分には、図７、図１６及び図１９に示すように、溢流案内通路４１と回収案内通路４４とを前後に区画する金属板製の区画板１１９が、切り欠き部１２０に嵌合して各通路壁９２，９３に後側から当接するように、後側から着脱自在に嵌合されている。
　【００６１】
　区画板１１９の下端には、通路壁９２，９３と通路壁１０１，１１６との間で抜き取り案内通路４３と溢流案内通路４１を区画する底板１２１が後側に屈曲形成され、この底板１２１は溢流案内通路４１の通路壁１０１に沿って落下テーブル１０７の下側まで一体に延びている。底板１２１の上端には接続端子部１２１ａが一体に形成され、この接続端子部１２１ａはアース線を接続できるように通路カバー９４から後側に突出している。
　【００６２】
　落下案内通路４５は、図３、図６、図１４乃至図１７に示すように、裏機構板３３の下横板部３３ｂと、通路壁９２から横方向に延び且つ下横板部３３ｂから後側に一体に突出形成された上通路壁１２２と、この上通路壁１２２から下方に伸び且つ下横板部３３ｂから後側に一体に突出形成された垂下通路壁１２３と、これらの通路壁９２、上通路壁１２２及び垂下通路壁１２３の後側を塞ぐ通路カバー９４とによって、下側が開口するように構成されている。
　【００６３】
　落下案内通路４５には、その垂下通路壁１２３の内外両近傍に揺動レバー１２４と満杯検出スイッチ１２５とが配置され、その揺動レバー１２４と溢流案内通路４１の開口端との間に案内部材１２７が配置されている。揺動レバー１２４は垂下通路壁１２３の内側近傍で上部側が枢軸１２６により左右揺動自在に枢支されており、下皿２２内の遊技球が一定レベル（満杯）まで溜まった時に、その遊技球が下端部側に当たって外側に揺動するようになっている。枢軸１２６は裏機構板３３の下横板部３３ｂと通路カバー９４とに形成されている。
　【００６４】
　満杯検出スイッチ１２５は、図１６に示すように、垂下通路壁１２３の外側で裏機構板３３の下横板部３３ｂに固定され、揺動レバー１２４が外側に揺動した時に作動片１２５ａを介して作動し、下皿２２内の遊技球の満杯状態を検出して賞球払い出し装置３７及び発射モータ２５を停止させるようになっている。なお、揺動レバー１２４の上端部側は、上通路壁１２２から垂下する保護板１２８により保護されている。
　【００６５】
　案内部材１２７は、溢流案内通路４１から落下案内通路４５内に落下する賞球を下側に案内するためのものである。案内部材１２７は偏平面１２７ａと円弧面１２７ｂとを有する背面視形状が半月状であって、落下案内通路４５の開口部と揺動レバー１２４との間の中央部分に配置され、且つ偏平面１２７ａ側で溢流案内通路４１からの遊技球を下側に案内するように、この偏平面１２７ａ側を溢流案内通路４１側に向けて若干下向きに傾斜させた状態で裏機構板３３の下横板部３３ｂに一体に形成されている。
　【００６６】
　各通路壁９２，９３，１０１，１０２，１１２，１１６、上通路壁１２２及び垂下通路壁１２３は、図１６に示すように、裏機構板３３の下横板部３３ｂから後側への突出量が同一であって、これらの後端に通路カバー９４が後側から当接するようになっている。通路カバー９４は全体として略板状であって、裏機構板３３の下隅部に合わせて略背面視形状が略Ｌ字状になっている。
　【００６７】
　通路カバー９４には、図１７及び図１８に示すように、上部に賞球案内通路４０の膨出通路壁１０８が、下部中央に遊技球回収通路４２の膨出通路壁９７が夫々形成されると共に、賞球案内通路４０の縦通路部１０４と遊技球回収通路４２の膨出通路壁９７との間に、抜き取り案内通路４３から遊技球回収通路４２に沿って嵌合突部１３５，１３６が、落下案内通路４５に対応する箇所に傾斜案内部１３０が夫々一体に形成され、更に上部中央に区画板１１０を押さえる板押さえ部１３１と、回収案内通路４４の上部側の後壁１３２を構成する突出壁部１３３と、区画板１１９の底板１２１を下側から受ける受け部１３４とが一体に形成されている。
　【００６８】
　嵌合突部１３５，１３６は、図８、図１７及び図１８に示す如く、通路カバー９４の後側に凹部１３５ａ，１３６ａができるように前側に突出形成され、各通路壁９２，９３、１０１，１０２との間に若干の間隔を置いて遊技球回収通路４２及び抜き取り案内通路４３に後側から嵌合されている。遊技球回収通路４２に対応する嵌合突部１３５には、前方に突出する縦方向の突条１３７が下部側の膨出通路壁９７にわたるように等間隔を置いて一体に複数本形成されている。抜き取り案内通路４３に対応する嵌合突部１３６には、前方に突出し且つ抜き取り案内通路４３に沿って略Ｌ字状に屈曲する突条１３８が等間隔を置いて一体に複数本形成されている。
　【００６９】
　傾斜案内部１３０は、落下案内通路４５内で通路カバー９４の近傍を落下する遊技球を前側に案内するためのものである。この傾斜案内部１３０は、揺動レバー１２４の下端部の上下両側から下側に対応する範囲において、下側に移るに従って徐々に前側に突出すべく前下がりに傾斜させて一体に設けられている。傾斜案内部１３０の下端側は、下皿２２に対応して前枠４下部の後側に装着された連通路１３９に上側から嵌合されている。
　【００７０】
　突出壁部１３３は、図７に示すように、上面が内周補強リブ８６と略同一高さとなるように溢流案内通路４１の通路壁１１６の上側で前側に突出しており、その前端が回収案内通路４４の上部側の後壁１３２を構成している。板押さえ部１３１は突出壁部１３３の下面側に一体に形成され、前端側で区画板１１９の上端部側を押さえるようになっている。
　【００７１】
　裏機構板３３側には、その通路壁９２，９３，１０１，１０２，１１２，１１６等と一体に取り付け部１４０が形成されると共に、複数本の取り付けボス１４１が通路壁９２，９３，１０１，１０２，１１２，１１６等から独立して一体に形成され、これら取り付け部１４０及び取り付けボス１４１に通路カバー９４が後側からネジ１４２により着脱自在に固定されている。
　通路カバー９４の後側には位置決め突起１４３が複数個設けられ、この位置決め突起１４３により通路カバー９４と取り付けベース８２との間のシールド板１４５が位置決めされている。
　【００７２】
　上記構成において、ゲームに際しては、自動球貸し機５のカード挿入口１１にカードを挿入した後、球貸し操作部２１を操作すると、その操作回数に応じた払い出し指令が球貸し制御基板５２を経て払い出し制御基板４９側に送られるので、賞球払い出し装置３７の払い出しモータ３８が作動し、賞球タンク３６からの遊技球を繰り出して払い出して行く。そして、この賞球払い出し装置３７により払い出された遊技球は、賞球案内通路４０の縦通路部１０４から傾斜通路部１０５を経て、落下テーブル１０７から落下通路部１０６内を受けテーブル１１３上へと落下し、その開口部１０６ａから案内通路１１４，１１５を介して上皿２０へと案内されて行く。
　【００７３】
　なお、球貸し操作部２１を操作すると、その操作回数に応じてカードの残額が順次減額され、カードの金額が金額表示部に表示される。
　ゲーム時には、上皿２０に遊技球を入れた状態で発射装置２３の発射ハンドル２４を操作すると、発射モータ２５が作動してカム２７により打撃槌２８を駆動し、その打撃槌２８によって発射レール２９上の遊技球をガイドレール１３に沿って遊技盤１０上に順次発射する。なお、１ゲームに付き、１６個の遊技球を発射する。
　【００７４】
　遊技盤１０に沿って落下する遊技球は、上入球口１５等に入球するか、又は下部入球装置１８の１６個の入球口６２の何れかに入球する。上入球口１５等に入球した遊技球は、遊技盤１０の裏側に通過して球集合板６０の各案内通路６１を経て集球ケース６４内に落下し、また下部入球装置１８の入球口６２に入球した遊技球は、遊技盤１０の裏側に通過して集球ケース６４内に落下する。そして、集球ケース６４内の遊技球は通路ユニット３９の回収案内通路４４へと落下し、この回収案内通路４４から遊技球回収通路４２を経て島構造体側に回収されて行く。
　【００７５】
　下部入球装置１８の入球口６２に遊技球が入球し、各入球位置の入球検出スイッチ６５が遊技球を検出すると、その検出信号を遊技制御基板４６側で処理して入賞役の成立か否かを判定し、入賞役が成立した時に、その難易度に応じた得点を計上する。この時にも画像表示部５７に入賞役の成否、得点等を表示する。
　【００７６】
　また上入球口１５に遊技球が入球すると、画像表示装置１４の画像表示部５７に変動図柄が表示され、その各図柄が一定時間だけ変動する。そして、その停止図柄が「７・７・７」等の当たり図柄であれば、一定の条件下で入賞得点を増加させる等、遊技者に利益を還元する。
　【００７７】
　入賞得点が計上されると、その都度、払い出しモータ３８が作動して回転体７６が回転し、払い出しケース７４の供給通路７７内の賞球を所定数づつ繰り出して払い出し口７８から下方に払い出して行く。そして、この賞球は、賞球案内通路４０の縦通路部１０４から傾斜通路部１０５、落下テーブル１０７、落下通路部１０６、受けテーブル１１３及び案内通路１１４，１１５を介して上皿２０に案内されて行く。
　【００７８】
　上皿２０が満杯状態になると、上皿２０から案内通路１１４，１１５側にも受けテーブル１１３と同じ高さまで遊技球が溜まる。このため、その後に賞球案内通路４０の落下テーブル１０７から落下する遊技球は、下側に貯留状態の遊技球の上に落下した後、受けテーブル１１３の後端から溢流案内通路４１側へと溢流して、この溢流案内通路４１を経て落下案内通路４５内へと流れて行く。
　【００７９】
　溢流案内通路４１の終端を通過した遊技球は、落下案内通路４５内で放物線を描きながら落下しようとするが、その経路の途中にある案内部材１２７の偏平面１２７ａ側に衝突して、この偏平面１２７ａに案内されて下側に落下する。一方、落下案内通路４５の通路カバー９４側には傾斜案内部１３０があるので、通路カバー９４に沿ってその近傍を落下する遊技球は、この傾斜案内部１３０に当たって前側へと送られ、前枠４下部の連通路１３９を経て下皿２２へと案内されて行く。
　【００８０】
　下皿２２内の遊技球が満杯状態になると、この下皿２２から各連通路１３９を経て落下案内通路４５の下部側まで遊技球が充満する。このため、溢流案内通路４１から溢流する遊技球があると、その遊技球は貯留中の遊技球の上に溜まって行き、揺動レバー１２４の下部を押すので、揺動レバー１２４が枢軸１２６廻りに外側に回動して作動片１２５ａを押圧し、満杯検出スイッチ１２５が満杯状態にあることを検出する。そして、満杯検出スイッチ１２５が下皿２２の遊技球の満杯を検出すると、賞球払い出し装置３７が停止して払い出し動作を止めると共に、発射モータ２５が停止して打撃槌２８による遊技球の発射動作を止める。
　【００８１】
　賞球払い出し装置３７から上側にある賞球タンク３６等の賞球を全て抜き取る場合には、開閉操作機構７９を操作して供給通路７７の下端部の開閉板８０を開放する。すると供給通路７７から賞球タンク３６側の賞球は、全てを供給通路７７から抜き取り口８１を経て下側へと抜き取られて行く。そして、この抜き取られた遊技球は、抜き取り案内通路４３の縦通路部９９内を下方に落下し、傾斜通路部１００を経て遊技球回収通路４２から島構造体側へと回収される。
　【００８２】
　抜き取り口８１からの遊技球は、抜き取り案内通路４３の縦通路部９９内を落下する際に、左右両側から突出する緩衝突部１０３に衝突しながら落下し、これによって遊技球の落下時の衝撃を十分に緩和できる。このため、抜き取り案内通路４３が縦通路部９９と傾斜通路部１００とを略Ｌ字状に備えた構造であるにも拘わらず、その傾斜通路部１００の損傷を未然に防止できる。
　【００８３】
　この実施例では、遊技盤１０にはその裏面側に画像表示装置１４、中継基板１４６等を覆う裏カバー３２を装着しているが、この裏カバー３２には上部側に膨らみ部６９を、その下側に、遊技制御基板４６を入れた遊技制御ユニット９０を配置しているため、この膨らみ部６９を含む裏カバー３２内の容積を十分に確保できる。従って、裏カバー３２の膨らみ部６９内に、遊技盤１０からの突出量の大きい遊技部品でも十分に組み込むことが可能となり、遊技盤１０に装着する遊技部品を自由に選択できる。
　【００８４】
　裏カバー３２は下部入球装置１８までを覆う大きさであり、下部入球装置１８に対応する部分の後方への突出量を膨らみ部６９に比べて小さくし、この部分の裏カバー３２の後側に遊技制御ユニット９０を設けているので、膨らみ部６９の後側に遊技制御ユニット９０を設ける場合に比較して、膨らみ部６９の後方への突出量を十分に確保できる。また裏カバー３２で下部入球装置１８を覆っているため、下部入球装置１８を裏カバー３２で保護でき、下部入球装置１８の損傷等を少なくできる。
　【００８５】
　遊技盤１０側の遊技動作を制御する遊技制御ユニット９０とは別に、賞球払い出し装置３７の払い出し動作を制御する払い出し制御ユニット４８を備え、遊技制御ユニット９０を裏カバー３２の後側下部に、払い出し制御ユニット４８を裏カバー３２の下側で通路ユニット３９の後側に夫々装着しているため、裏カバー３２側に装着する遊技制御ユニット９０を小さくできる。
　【００８６】
　また払い出し制御ユニット４８と球貸し制御ユニット５１を左右に近接させて配置しているため、両制御ユニット４８，５１を上下に配置する場合に比較して、裏機構板３３の裏カバー３２から下側の長さを短くでき、裏機構板３３の小型化を図ることが可能である。
　【００８７】
　裏機構板３３の後側には、各通路４０〜４５の一部を構成する通路壁９２，９３，１０１，１０２，１１２，１１６、上通路壁１２２、垂下通路壁１２３等を一体に形成しているため、この各通路壁９２，９３，１０１，１０２，１１２，１１６、上通路壁１２２、垂下通路壁１２３等で裏機構板３３の下部側を補強でき、裏機構板３３に大きな開口窓３５があるにも拘わらず、裏機構板３３の下部の剛性、強度が向上する。また裏機構板３３の開口窓３５の側方下部から下方に亘って各通路４０〜４５の通路壁９２，９３，１０１，１０２，１１２，１１６を縦横に配置し、且つ各通路壁９２，９３，１０１，１０２，１１２，１１６を交差部で一体化しているので、一方向に揃って形成する場合等に比較して、全方向に対して所定の強度を確保できる。
　【００８８】
　しかも、各通路壁９２，９３，１０１，１０２，１１２，１１６を裏機構板３３に一体に形成する一方、この通路壁９２，９３，１０１，１０２，１１２，１１６の後端に通路カバー９４を着脱自在に装着して各通路４０〜４５を構成しているため、裏機構板３３と別体の通路板の前後両側に通路壁を一体に形成するものに比較して、構造が簡単で部品点数を削減でき、部品管理の容易化、組み立て作業の簡易化、能率化を図ることができる。
　【００８９】
　各通路壁９２，９３，１０１，１０２，１１２，１１６等は裏機構板３３から後方への突出量が略同一であって、この各通路壁９２，９３，１０１，１０２，１１２，１１６に跨がって通路カバー９４を着脱自在に装着しているため、通路カバー９４を略板状又は板状に近い形状にすることができる。換言すれば、通路カバー９４に取り付けベース８２を介して払い出し制御ユニット４８、球貸し制御ユニット５１を装着しているが、各通路壁９２，９３，１０１，１０２，１１２，１１６の後端が略同一であるため、通路カバー９４の取り付けベース８２に対応する部分に、後側に突出する突起物等を設ける必要がなく、通路ユニット３９の後側に払い出し制御ユニット４８、球貸し制御ユニット５１を容易に装着でき、またその後方への突出量を小さくできる。
　【００９０】
　各通路４０〜４４の内、抜き取り案内通路４３を裏機構板３３の下隅部に沿って略Ｌ字状に配置し、この抜き取り案内通路４３の内側に、これに沿って略Ｌ字状に溢流案内通路４１を配置しているため、抜き取り案内通路４３の通路断面積を十分に確保できる。このため、賞球払い出し装置３７から上側の賞球タンク３６等の賞球を全て抜き取る際には、賞球払い出し装置３７から出た大量の賞球を容易に遊技球回収通路４２へと案内できる。
　【００９１】
　抜き取り案内通路４３は略Ｌ字状であって、賞球払い出し装置３７の下側に縦通路部９９を有するが、この縦通路部９９の下部に緩衝突部１０３があり、この緩衝突部１０３によって縦通路部９９内を落下する遊技球の衝撃を緩和するため、賞球の抜き取り時に、その下側の傾斜通路部１００に対して過大な衝撃がかからず、抜き取り案内通路４３、特にその傾斜通路部１００の損傷を防止でき、耐久性が向上する。
　【００９２】
　緩衝突部１０３は、抜き取り案内通路４３の相対向する一対の通路壁１０１，１０２に、その抜き取り案内通路４３内に突出するようにあるため、その両者によって賞球の衝撃を緩和できる。しかも、各緩衝突部１０３を上下方向に間隔を置いて配置しているため、相対向する通路壁１０１，１０２に緩衝突部１０３があるにも拘わらず、その緩衝突部１０３によって抜き取り案内通路４３の通路断面積が極端に制限されることもなく、抜き取られた賞球を円滑に遊技球回収通路４２側へと案内できる。
　【００９３】
　賞球払い出し装置３７の賞球の抜き取り時には、抜き取り案内通路４３から遊技球回収通路４２へと大量の賞球がある時間継続して流れるが、通路カバー９４にシールド板１４５を介して取り付けベース８２を装着しているため、抜き取り案内通路４３内を流れる賞球の静電気等によって払い出し制御ユニット４８及び球貸し制御ユニット５１側が誤動作することもない。
　【００９４】
　また遊技球回収通路４２及び抜き取り案内通路４３内に嵌合する嵌合突部１３５，１３６を通路カバー９４に形成し、この嵌合突部１３５，１３６に対応して通路カバー９４の後側に凹部１３５ａ，１３６ａを設けているため、この各通路４２，４３内の賞球と各制御ユニット４８，５１の間隔を大にして、賞球による各制御ユニット４８，５１への影響を極力少なくできると共に、この凹部１３５ａ，１３６ａ付きの嵌合突部１３５，１３６によって通路カバー９４を軽量化しつつ補強できる。
　【００９５】
　嵌合突部１３５，１３６の前面には、この嵌合突部１３５，１３６から前側に一体に突出する複数本の突条１３７，１３８があり、この突条１３７，１３８によって各通路４２，４３内を移動する遊技球を通路方向に案内するようにしている。このため、この突条１３７，１３８によって各通路４２，４３内の賞球と各制御ユニット４８，５１との間隔を更に大にできると共に、通路カバー９４の強度を確保できる。
　【００９６】
　賞球案内通路４０と抜き取り案内通路４３は夫々前後に重なっているが、その前後の賞球案内通路４０と抜き取り案内通路４３との各通路４０，４３を区画板１１０で区画しているので、賞球案内通路４０と抜き取り案内通路４３とを裏機構板３３と通路カバー９４とに跨がって構成する場合でも、裏機構板３３及び通路カバー９４の形状を単純化でき、その成形を容易に行える。
　【００９７】
　また区画板１１０を金属製とし、この区画板１１０の下端を後側に折り曲げて後側の賞球案内通路４０用の底板１１１としているため、賞球案内通路４０内に金属製の底板１１１を簡単に設け得ると共に、この底板１１１によって賞球案内通路４０内を通過する遊技球による損傷を防止できる。特に、賞球案内通路４０では、賞球払い出し装置３７の払い出し口７８からの賞球が縦通路部１０４内を落下するが、この賞球を区画板１１０の底板１１１で受けることになるので、賞球案内通路４０の損傷を防止でき、その耐久性が向上する。
　【００９８】
　区画板１１０は金属製であって、底板１１１を一体に備えているので、この区画板１１０をアース等に接続することによって、賞球案内通路４０内の底板１１１上に賞球が落下して来た時に、その底板１１１を介して遊技球の静電気を容易に除去することが可能である。
　【００９９】
　回収案内通路４４と溢流案内通路４１との間にも区画板１１９があり、この区画板１１９で前側の上下方向の回収案内通路４４と、後側の左右方向の溢流案内通路４１との交差部を前後に区画しているので、裏機構板３３側に回収案内通路４４と溢流案内通路４１とを前後に交差状に設けるにも拘らず、その構造を簡単化して成形等を容易にできる。
　【０１００】
　また区画板１１９が金属製であって、この区画板１１９の下端を折り曲げて溢流案内通路４１の底板１２１を形成しているため、前記区画板１１９と同様に、この底板１２１で溢流案内通路４１の損傷を防止できると共に、溢流案内通路４１内の賞球の静電気を確実に除去できる。特に、この区画板１１９の底板１２１は、溢流案内通路４１の略全長にわたって通路長手方向に延びているので、賞球による溢流案内通路４１の底部側の損傷を確実に防止できる。
　【０１０１】
　溢流案内通路４１を回収案内通路４４に対応する部分で左右に分断するように成形しておき、組み立て時に、溢流案内通路４１の分断部分に、底板１２１を有する区画板１１９を後側から嵌着して、この区画板１１９によって回収案内通路４４と溢流案内通路４１とを前後に区画する。そして、溢流案内通路４１の後側を塞ぐ通路カバー９４を装着して、この通路カバー９４の板押さえ部１３１で区画板１１９の上部を後側から押さえると共に、受け部１３４で底板１２１の後端部を下側から受ける。
　【０１０２】
　このため、回収案内通路４４と溢流案内通路４１との交差部分の成形が簡単になり、裏機構板３３の成形が容易である。また組み立て作業が容易であり、区画板１１９を容易且つ確実に固定できると同時に、底板１２１の後端を受け部１３４で確実に支持できる。
　【０１０３】
　通路カバー９４を装着した時に、溢流案内通路４１の上側に突出壁部１３３が突出して、この突出壁部１３３が回収案内通路４４の後壁１３２を形成する。このため、回収案内通路４４の後壁１３２を溢流案内通路４１の上側に予め形成する必要がなく、溢流案内通路４１の上側に回収案内通路４４の後壁１３２があるにも拘らず、裏機構板３３側の成形が容易である。
　【０１０４】
　賞球案内通路４０と溢流案内通路４１は、賞球払い出し装置３７から払い出された賞球を、賞球案内通路４０の縦通路部１０４と傾斜通路部１０５とを経て落下テーブル１０７から落下通路部１０６内を下方に落下させた後、この落下通路部１０６の下端の開口部１０６ａを通って上皿２０へと案内させると共に、上皿２０の賞球が満杯状態の時には、落下テーブル１０７から落下する後続の賞球を、溢流案内通路４１を経て下皿２２へと案内する。
　【０１０５】
　この賞球案内通路４０と溢流案内通路４１は、賞球案内通路４０の落下通路部１０６を構成する通路壁１１２と溢流案内通路４１の一部を構成する一対の通路壁１０１，１１６とが裏機構板３３側にあり、溢流案内通路４１の通路壁１０１，１１６間を板状の通路カバー９４で後側から塞ぐ一方、この通路カバー９４に縦通路部１０４と傾斜通路部１０５とを構成する膨出通路壁１０８を後方に膨出するように一体に形成しているので、賞球案内通路４０が屈曲構造となるにも拘わらず、裏機構板３３及び通路カバー９４の構造を簡素化できる。また通路カバー９４側に、その傾斜通路部１０５から落下通路部１０６内に突出するように落下テーブル１０７を一体に形成しているため、落下テーブル１０７の基部側の形状、構造を大にする等、落下テーブル１０７の強度、耐久性を大にできる。
　【０１０６】
　特に落下テーブル１０７を補強する補強部１０９を落下テーブル１０７の下側から通路カバー９４に跨がって円弧状に設けているので、落下テーブル１０７の強度を十分に確保できると同時に、その補強部１０９によって溢流案内通路４１の上端部を制限することがなく、上皿２０の満杯時には、後続の遊技球を溢流案内通路４１側に円滑且つ確実に溢流させることができる。
　【０１０７】
　また通路カバー９４は全体として略板状であるが、この通路カバー９４には落下テーブル１０７の他に、嵌合突部１３５，１３６、板押さえ部１３１等が落下テーブル１０７と略同じ突出量で一体に形成されているため、前記補強効果と相俟って、通路カバー９４の取り扱い時に、落下テーブル１０７の損傷を防止できる。
　【０１０８】
　賞球案内通路４０の落下通路部１０６の下端に、落下テーブル１０７から落下する賞球を受けて上皿２０側に案内する受けテーブル１１３があり、この受けテーブル１１３よりも上側で溢流案内通路４１を落下通路部１０６に連通させているため、上皿２０が満杯状態の時には、落下テーブル１０７から落下する賞球を一旦受けテーブル１１３側で受けた後、賞球を落下通路部１０６から溢流案内通路４１に案内できる。
　【０１０９】
　溢流案内通路４１と揺動レバー１２４との間の上部に案内部材１２７があり、この溢流案内通路４１から落下案内通路４５内に送られた賞球を案内部材１２７の偏平面１２７ａ側で下側に案内するので、溢流案内通路４１から落下案内通路４５内に入った賞球が揺動レバー１２４に不規則に衝突して満杯検出スイッチ１２５を作動させることがない。
　【０１１０】
　また落下案内通路４５の通路カバー９４側には傾斜案内部１３０があるため、案内部材１２７の偏平面１２７ａに当たった後、通路カバー９４に沿ってその近傍を下方に落下する遊技球は、この傾斜案内部１３０によって前側に案内でき、落下案内通路４５内での賞球の流れを非常に円滑にできる。このため、落下案内通路４５内での賞球の乱れ等による揺動レバー１２４の不安定な揺動がなく、下皿２２の満杯時にのみ、揺動レバー１２４を介して満杯検出スイッチ１２５が確実に作動することになるので、満杯検出スイッチ１２５の誤検出動作を防止できる。
　【０１１１】
　案内部材１２７を半月状に構成し、この案内部材１２７の偏平面１２７ａ側に溢流案内通路４１からの遊技球を衝突させるようにしているため、溢流案内通路４１からの賞球を案内部材１２７の偏平面１２７ａ側で確実に案内できる。
　【０１１２】
　しかも案内部材１２７は偏平面１２７ａと反対側が円弧面１２７ｂとなっており、この案内部材１２７を落下案内通路４５の上通路壁１２２との間に間隔を置いて配置しているため、揺動レバー１２４が揺動して満杯検出スイッチ１２５が作動して発射装置２３を停止させた後にも、既に賞球払い出し装置３７から払い出された多量の賞球が案内されてくるような場合には、その案内部材１２７の上側を越えて揺動レバー１２４側へと円滑に遊技球を移動させて行くことができる。従って、落下案内通路４５内の空間を有効に利用できる。
　以上、本発明の実施例を詳述したが、本発明は実施例に限定されるものではない。例えば、実施例ではアレンジボール機を例示しているが、パチンコ機等の弾球遊技機においても同様に実施できる。
　【０１１３】
　【発明の効果】
　請求項１に記載の本発明によれば、前枠４に装着された遊技盤１０を前枠４側に押さえて固定する裏機構板３３に、遊技盤１０の後側の裏カバー３２が嵌合する開口窓３５を形成し、この開口窓３５の一側で裏機構板３３に賞球払い出し装置３７を設けると共に、この裏機構板３３の後側の下部側に、賞球払い出し装置３７から払い出された賞球を遊技球供給皿２０に案内する賞球案内通路４０と、遊技球供給皿２０の遊技球が満杯状態の時に賞球払い出し装置３７から払い出された賞球を溢流させる溢流案内通路４１と、溢流案内通路４１からの賞球を受け皿２２に落下させて案内する落下案内通路４５と、遊技球を島構造体側に回収する遊技球回収通路４２と、賞球払い出し装置３７の賞球の抜き取り時に、該賞球払い出し装置３７からの賞球を遊技球回収通路４２側に案内する抜き取り案内通路４３とを備えた弾球遊技機において、各通路４０，４１，４２，４３，４５を裏機構板３３に一体に形成すると共に、裏カバー３２の下側の各通路４０，４１，４２，４３，４５の裏機構板３３からの突出量を略同一に構成して、これら各通路４０，４１，４２，４３，４５を後側から塞ぐ板状の通路カバー９４を設けているので、電子部品を装着した基板４９，５２をケース５０，５３内に収納してなる制御ユニット４８，５１を着脱自在に装着しているので、成形品の部品点数を裏機構板３３と通路カバー９４とに削減できると共に、各通路４０，４１，４２，４３，４５によって裏機構板３３の下隅部の剛性、強度を容易に確保できる。
　【０１１４】
　しかも板状の通路カバー９４の後側にシールド板（１４５）を介在して取り付けベース（８２）を設け、この取り付けベース８２
と通路カバー９４とをシールド板１４５を介在した状態で後側からネジ１４２により裏機構板３３に着脱自在に固定し、取り付けベース８２
　【０１１５】
　請求項２に記載の本発明によれ
ば、通
　【０１１６】
　請求項３に記載の本発明によれば、請求
項２
【図面の簡単な説明】
　【図１】
　本発明の一実施例を示すアレンジボール機の正面図である。
　【図２】
　本発明の一実施例を示すアレンジボール機の背面図である。
　【図３】
　本発明の一実施例を示す裏機構板の下部側の断面背面図である。
　【図４】
　図３のＡ−Ａ線矢視断面図である。
　【図５】
　本発明の一実施例を示す遊技盤の中央部の断面図である。
　【図６】
　図３のＢ−Ｂ線矢視断面図である。
　【図７】
　図３のＣ−Ｃ線矢視断面図である。
　【図８】
　図３のＤ−Ｄ線矢視断面図である。
　【図９】
　図３のＥ−Ｅ線矢視断面図である。
　【図１０】
　図３のＦ−Ｆ線矢視断面図である。
　【図１１】
　図３のＧ−Ｇ線矢視断面図である。
　【図１２】
　本発明の一実施例を示す賞球払い出し装置の断面図である。
　【図１３】
　本発明の一実施例を示す裏機構板の開状態の正面図である。
　【図１４】
　本発明の一実施例を示す通路ユニット側の断面背面図である。
　【図１５】
　本発明の一実施例を示す通路ユニットの通路カバー取り外し状態の背面図である。
　【図１６】
　本発明の一実施例を示す通路ユニットの通路カバー取り外し状態の斜視図である。
　【図１７】
　本発明の一実施例を示す通路ユニットの通路カバーの一部破断斜視図である。
　【図１８】
　本発明の一実施例を示す通路ユニットの通路カバーの正面図である。
　【図１９】
　図７のＨ−Ｈ線矢視断面図である。
　【符号の説明】
４　　前枠
１０　遊技盤
２０　遊技球供給皿
２２　受け皿
３２　裏カバー
３３　裏機構板
３５　開口窓
３７　賞球払い出し装置
４０　賞球案内通路
４１　溢流案内通路
４２　遊技球回収通路
４３　抜き取り案内通路
４４　回収案内通路
４５　落下案内通路
４６　遊技制御基板
４８，５１　制御ユニット
４９，５２　払い出し制御基板
５０，５３　ケース
９４　通路カバー
１３５，１３６　嵌合突部
１３５ａ，１３６ａ　凹部
１３７，１３８　案内突条
１４５　シールド板